(57)【要約】【課題】  デジタルビデオディスクのデータフォーマットを提供する。【解決手段】  デジタルビデオディスクには、データ符号と、データ構造を有する多機能同期符号が記録されている。同期符号には、種別情報符号が含まれ、この種別情報符号により、同期符号がデータブロックの先頭の符号列に位置しているのか、データブロックの最初のセクタ以外のデータブロックセクタの先頭に含まれているのか、ラインの先頭に含まれているのか、ラインの途中に含まれているのかが特定される。種別情報には、種別情報符号１と種別情報符号２の２つのパターンがあり、二者択一的に利用される。２つのパターンは、いずれも同じ情報を伝えるためのものであるが、その５ビット列において“１”の個数が奇数か偶数かで異なる。２つのパターンのうちいずれを選択するかは、同期符号に続くフレームの直流成分の偏りが最小になるよう、ＤＳＶ値で決められる。【選択図】図１
2005108422.tif 000002
【特許請求の範囲】
【請求項１】
複数の符号語がフレームを形成し、複数のフレームがデータブロックを形成し、符号語列を記録媒体に記録する方法であって、
（ａ）該フレームの先頭に隣接し、該符号語の整数倍の長さを有する同期符号を挿入し、
（ｂ）該フレームの同期符号を他の符号から区別するための識別符号を各同期符号に与え、
（ｃ）同期符号が挿入されている該セクタ内の位置に基づき、同期符号の種別を示すための種別情報を各同期符号に加え、
（ｄ）同期符号が挿入されたデータブロックからチャンネル信号を生成し、
（ｅ）該チャンネル信号を記録するステップを含む、
記録方法。
【請求項２】
複数の符号語がフレームを形成し、複数のフレームがデータブロックを形成し、符号語列を記録媒体に記録する記録装置であって、
該フレームの先頭に隣接し、該符号語の整数倍の長さを有する同期符号を挿入する挿入手段と、
該フレームの同期符号を他の符号から区別するための識別符号を各同期符号に与える第１の付与手段と、
同期符号が挿入されている該セクタ内の位置に基づき、同期符号の種別を示すための種別情報を各同期符号に加える第２の付与手段と、
記録媒体に記録するため、同期符号が挿入されたデータブロックの形式で生成されたチャンネル信号を出力する出力手段を含む記録装置。
【請求項３】
記録媒体から情報を再生する再生方法であって、
該記録媒体はデータブロックを含み、
該データブロックは複数のフレームを含み、
該フレームは複数の符号語を含み、
該符号語の整数倍の長さを有する同期符号が該フレームの先頭に隣接して設けられており、
該フレームの同期符号を他の符号から区別するための識別符号が各同期符号に与えられえおり、
同期符号が挿入されている該セクタ内の位置に基づき、同期符号の種別を示すための種別情報が各同期符号に加えられており、
該再生方法は
（ａ）該識別符号を検出することにより同期符号を検出し、
（ｂ）該同期符号の位置を特定し、データブロック中における同期符号に続くデータ符号を特定するため、該同期符号にある種別情報を読む、
再生方法。
【請求項４】
記録媒体から情報を再生する再生装置であって、
該記録媒体はデータブロックを含み、
該データブロックは複数のフレームを含み、
該フレームは複数の符号語を含み、
該符号語の整数倍の長さを有する同期符号が該フレームの先頭に隣接して設けられており、
該フレームの同期符号を他の符号から区別するための識別符号が各同期符号に与えられえおり、
同期符号が挿入されている該セクタ内の位置に基づき、同期符号の種別を示すための種別情報が各同期符号に加えられており、
該再生装置は
該識別符号を検出することにより同期符号を検出する手段と、
該同期符号の位置を特定し、データブロック中における同期符号に続くデータ符号を特定するため、該同期符号にある種別情報を読む手段とを含む再生装置。
【発明の詳細な説明】
【技術分野】
【０００１】
本発明は、多様な制御情報を有する同期符号が挿入されたデータが記録されている記録媒体、記録方法と装置及び再生方法と装置に関する。
【背景技術】
【０００２】
従来、磁気ディスクや光ディスクなどの記録媒体には、書き込まれたデータが再生されるときに生じるデータの読み取り誤りを訂正するため、パリティなどの冗長ビットが付加されて記録されている。再生されたデータには誤り訂正が施されるが、近年では、さらに高い誤り訂正能力が要求されてきている。この誤り訂正の能力を高めるには、１つには、データに付加する冗長ビットを多くする方法が考えられる。しかし、データに冗長ビットを多く付加すると、光ディスクの記録密度の低下を招き、不都合である。また、他の方法として、誤り訂正符号の量を増加することなく誤り訂正の能力を向上する方法として、誤り訂正の処理単位となるデータ量を大きくする方法が考えられる。例えば、複数のセクタからなるブロックを設定し、当該ブロックを誤り訂正の処理単位とする。
【０００３】
図１８は、従来の誤り訂正の処理単位となる１ブロックのデータフォーマットを示す説明図である。
【０００４】
前記ブロックは、３２個のセクタと属性行とパリティ部とからなる。各セク夕は、それぞれ４行からなり、各セクタ行にはＤ（ｉ，０）〜Ｄ（ｉ，１２８）で示される１２９符号語が書込まれ、各符号語Ｄ（ｉ，ｊ）は１バイトのデータに相当し、１６パリティ符号語Ｐ（ｉ，０）〜Ｐ（ｉ，１５）は、データのバイトに相当する。ここでｉはデータブロックの行数を表す。第０〜３行は第１セクタに、第４〜７行は第２セクタに、…、第１２４〜１２７行は第３２セクタに割当てられる。これにより、各セクタは、５１６バイトの容量を有することになり、５１２バイトのユーザーデータの他に４バイトのＣＲＣコードを書き込むことができる。
【０００５】
第１２８行には、Ｄ（１２８，０）〜Ｄ（１２８，１２８）によって、このブロックおよびこのブロック内の各セクタの属性が記録される。第１２８行にも、Ｄ（１２８，０）〜Ｄ（１２８，１２８）に対してパリティＰ（１２８，０）〜Ｐ（１２８，１５）が付加される。
【０００６】
これにより、列方向に、１２９符号語のデータＤ（０，ｊ）〜Ｄ（１２８，ｊ）（ただし、０≦ｊ≦１２８）および１２９符号語のパリティＰ（０，ｋ）〜Ｐ（１２８，ｋ）（ただし、０≦ｋ≦１５）が配列される。
【０００７】
前記パリティ部には、列方向に配列された前記データＤ（０，ｊ）〜Ｄ（１８，ｊ）に対して、１６符号語のパリティＱ（０，ｊ）〜Ｑ（１５，ｉ）が、列方向に配列された前記パリティＰ（０，ｋ）〜Ｐ（１２８，ｋ）に対して、同じく１６符号語のパリティＱ（０，ｍ）〜Ｑ（１５，ｍ）（ただし、１２９≦ｍ≦１４４）が書き込まれる。
【０００８】
上記のように符号語およびパリティが配列されたブロックは、ブロック毎にアドレスがつけられ、記録媒体の所定の位置に記録される。
【特許文献１】米国特許第４，７２８，９２９号公報
【発明の開示】
【発明が解決しようとする課題】
【０００９】
しかしながら、従来のブロックは、ブロックの先頭にアドレスが付されているのみで、各セクタにはアドレスが付されていないため、ブロックが大きくなるほど、アクセスおよび検索に時間がかかるという問題点を有していた。
【００１０】
具体的には、ブロックの途中からデータを読み始めると、データを読み始めた位置がどのブロック内のどの位置であるかを識別することができないため、必ずブロックの先頭からデータを読み始めなければならず、目標とするブロックをアクセスするときには、ブロックの先頭のアドレスを識別するまで待機しなければならないという不都合があった。
【００１１】
また、ブロックの先頭から読み始めなければアドレスが判らなかったので、ブロックが大きくなるとアドレスを読み取るまでの平均時間が長くかかり、検索に時間がかかるという不都合があった。
【００１２】
これに対して、例えば、各フレームにフレーム番号を付けておくという方法も考えられるが、全部のフレームの番号を表すには符号語が長くなり、この符号語がフレームごとに付加されることになるので、記録媒体上への記録密度の低下を招いてしまう。また、このフレーム番号に、他の機能を持たせることもできないので不都合である。
【課題を解決するための手段】
【００１３】
本発明は、上記問題点に鑑みてなされたものであり、記録密度を低下することなく、誤り訂正能力の高いデータ構造を可能とする多機能な同期符号が工夫された記録媒体の提供を主たる目的としている。
本発明の他の目的は、上記工夫された同期符号を含むデータの記録および再生を行う新規な方法を提供することである。
【００１４】
上記目的を達成するため、本発明に係る記録媒体は、再生機により読取り可能なチャネル信号が書き込まれた記録媒体である生産品であって、該生産品に書き込まれ、再生機により読取り可能なチャンネル信号は、
ある間隔をあけてトラックに沿って配置された同期符号と、
該間隔に配置され、符号語列から成るデータ符号とを有し、
該同期符号は、該データ符号のいずれのデータとも区別可能な所定のパターンを有する識別符号と、該同期符号の種別を表す種別情報符号とを有し、
該チャンネル信号は、同期符号とデータ符号の列で生成されることを特徴とする記録媒体である生産品である。
【００１５】
本発明に係る記録方法は、複数の符号語がフレームを形成し、複数のフレームがデータブロックを形成し、符号語列を記録媒体に記録する方法であって、
（ａ）該データブロックの所定の先頭位置に同期符号を挿入し、
（ｂ）該データブロックの同期符号を他の符号から区別するための識別符号を各同期符号に与え、
（ｃ）該同期符号が挿入されているブロックの位置に基づき、同期符号の種別を示すための種別情報を各同期符号に加え、
（ｄ）同期符号が挿入されたデータブロックからチャンネル信号を生成し、
（ｅ）該チャンネル信号を記録するステップを含むことを特徴とする記録方法である。
【００１６】
本発明に係る記録装置は、複数の符号語がフレームを形成し、複数のフレームがデータブロックを形成し、符号語列で生成されるチャンネル信号を記録媒体に記録する記録装置であって、
該データブロックの所定の先頭位置に同期符号を挿入する挿入手段と、
該データブロックの同期符号を他の符号から区別するための識別符号を各同期符号に与える第１の付与手段と、
該同期符号が挿入されているブロックの位置に基づき、同期符号の種別を示すための種別情報を各同期符号に与える第２の付与手段と、
記録媒体に記録するため、同期符号が挿入されたデータブロックの形式で生成されたチャンネル信号を出力する出力手段から成ることを特徴とする記録装置である。
【００１７】
本発明に係る再生方法は、記録媒体から情報を再生する再生方法であって、該記録媒体には、ある間隔をあげてトラックに沿って配置された同期符号と、該間隔に配置され、符号語列から成るデータ符号とが記録され、該同期符号は、該データ符号のいずれのデータとも区別可能な所定のパターンを有する識別符号と、データブロック中において、該同期符号の位置を特定する種別情報符号とを有し、これ等を再生する再生方法において、
（ａ）該識別符号を検出することにより同期符号を検出し、
（ｂ）該同期符号の位置を特定し、データブロック中における同期符号に続くデータ符号を特定するため、該同期符号にある種別情報を読むことを特徴とする再生方法である。
【００１８】
本発明に係る再生装置は、記録媒体から情報を再生する再生装置であって、
該記録媒体には、ある間隔をあけてトラックに沿って配置された同期符号と、該間隔に配置され、符号語列から成るデータ符号とが記録され、該同期符号は、該データ符号のいずれのデータとも区別可能な所定のパターンを有する識別符号と、データブロック中において、該同期符号の位置を特定する種別情報符号を有し、これ等を再生する再生装置において、
該識別符号を検出することにより同期符号を検出する手段と、
該同期符号の位置を侍定し、データプロック中における同期符号に続くデータ符号を特定するため、該同期符号にある種別情報を読む読出し手段とから成ることを特徴とする再生装置である。
【００１９】
本発明に係る記録媒体は、前記同期符号が、同期符号とその他の情報とを識別するための識別符号と、その直後に配置され、同期符号の種別を示す種別符号とからなる。
従って、この発明によれば、同期符号であることを表す識別符号を検出することにより、記録媒体に記録された情報中の同期符号を識別してフレーム同期を取ることができるとともに、識別符号直後に配置された種別符号を読み取ることにより、同期符号の種別によって表される情報であって、同期符号であること以外を表す情報を得ることができる同期符号付き符号語系列が記録された記録媒体を提供することができる。
【００２０】
本発明第１の見方によれば、上記本発明に係る記録媒体において、前記種別符号は、所定数の前記フレームから構成されたブロック中における前記同期符号の位置を示す符号である。
従って、上記第１の見方によれば、前記種別符号を読み取ることにより、前記同期符号のブロック中の位置を知ることができる同期符号付き符号語系列が記録された記録媒体を提供することができる。
【００２１】
本発明第２の見方によれば、上記第１の見方の記録媒体において、
前記識別符号は、前記符号語系列に存在しない特定パターンを含み、この識別符号の所定部分から後の部分と、前記種別符号との結合によって、前記符号語群に含まれるいずれかの符号語が形成される。
従って、上記第２の見方によれば、前記識別符号の特定パターンにより、同期符号を同期符号以外の符号語系列と識別することができるとともに、前記種別符号が表す情報と、前記種別符号を含んで形成される符号語が表す情報とを対応付けて記憶しておけば、前記種別符号を読み取るための特別な構成を要せず、前記種別符号を含んで形成される符号語を前記符号語群の１つとして読み取り、前記種別符号が表す前記同期符号のブロック中の位置を知ることができる、そのような同期符号が挿入された同期符号付き符号語系列が記録されている記録媒体を提供することができる。
【００２２】
本発明第３の見方によれば、上記第１の見方の記録媒体において、
前記種別符号は、同一種別を表す複数の種別符号の中から、前記同期符号の前後のその他の情報の直流成分の偏りの大きさを最小とする組み合わせが選択されている。
従って、上記第３の見方によれば、前記種別符号を読み取ることにより、前記同期符号のブロック中の位置を知ることができるとともに、本発明の記録媒体から再生される再生信号の直流成分の偏りがより小さくなるよう選ばれた同期符号が挿入されている同期符号付き符号語系列が記録された記録媒体を提供することができる。
【００２３】
本発明第４の見方によれば、上記第１の見方の記録媒体において、
前記ブロックは、複数のフレームからなる複数のセクタに分割され、前記各セクタ内の所定位置のフレームにはそのセクタの番地を示す情報が含まれるとともに、このフレームの前に挿入される同期符号には、番地情報を含むフレームであることを示す種別符号が含まれる。
従って、上記第４の見方によれば、同期符号の種別符号によってセクタの番地情報を含むフレームを容易に知ることができるので、同期符号内の前記種別情報と番地情報だけを読んで行くことによって、所望のブロックを読み出すための検索を高速に行うことができるとともに、所望のブロックの途中から同期符号付き符号語系列を読み出すことができるようにした同期符号付き符号語列が記録されている記録媒体を提供することができる。
【００２４】
本発明第５の見方によれば、ブロック先頭識別ステップは、前記複数のフレームからなるブロックの先頭部分を識別する。同期符号挿入位置識別ステップは、同期符号を挿入すべき前記ブロック内における位置を識別する。識別符号挿入ステップは、識別された同期符号挿入位置に、同期符号とその他の情報とを識別するための識別符号を挿入する。種別判定ステップは、識別された同期符号挿入位置に対応して、同期符号の種別を判定する。種別符号挿入ステップは、前記識別符号の直後に、判定された種別を表す種別符号を挿入する。記録ステップは、前記識別符号および前記種別符号の挿入された前記ブロックを、前記記録媒体の連続した領域に記録する。
従って、上記第５の見方によれば、識別符号によって同期符号以外の符号語系列とは異なる同期符号であることを表すとともに、同期符号の種別を示す種別符号によって同期符号挿入位置に応じた情報であって、同期符号であること以外の情報を表すことができる同期符号が挿入された同期符号付き符号語系列を記録媒体上に記録する記録方法を提供することができる。
【００２５】
本発明第６の見方によれば、記録方法では、上記第５の見方の記録方法において、さらに、識別符号生成ステップは、同期符号挿入位置識別後、その他の情報を表す前記符号語系列には存在しない特定パターンを含んだ識別符号を生成する。種別符号生成ステップは、同期符号の種別判定後、生成された識別符号の所定部分から後の部分と、判定された種別を表す前記種別符号との結合によって、前記符号語群に含まれるいずれかの符号語が形成されるよう種別符号を生成する。前記記録ステップは、生成された種別符号を記録する。
従って、上記第６の見方によれば、前記識別符号の特定パターンにより、同期符号を同期符号以外の符号語系列と識別することができるとともに、前記種別符号が表す情報と、前記種別符号を含んで形成される符号語が表す情報とを対応付けて記憶しておけば、前記種別符号を読み取るための特別な構成を要せず、前記種別符号を含んで形成される符号語を前記符号語群の１つとして読み取り、前記種別符号が表す前記同期符号のブロック中の位置を知ることができる、そのような同期符号が挿入された同期符号付き符号語系列を記録媒体上に記録する記録方法を提供することができる。
【００２６】
本発明第７の見方によれば、記録方法では、上記第５の見方の記録方法において、さらに、直流成分算出ステップは、前記同期符号挿入位置識別後、前記同期符号が挿入される前後の所定の区間内の同期符号以外の情報中で、前記情報の直流成分の偏りの大きさを算出する。種別符号選択ステップは、判定された前記種別のうち、同一種別を表す複数の種別符号の中から、算出された直流成分の偏りの大きさが最小となる種別符号を選択する。前記種別符号記録ステップは、選択された前記種別符号を記録する。
従って、上記第７の見方によれば、前記種別符号を読み取ることにより、前記同期符号のブロック中の位置を知ることができるとともに、本発明の記録媒体から再生される再生信号の直流成分の偏りがより小さくなるよう選ばれた同期符号が挿入されている同期符号付き符号語系列を記録媒体上に記録する記録方法を提供することができる。
【００２７】
本発明第８の見方によれば、記録方法では、上記第５の見方の記録方法において、さらに、番地フレーム識別ステップは、複数のフレームからなる複数のセクタに分割された前記ブロック内で、前記各セクタ内の所定位置にあり、セクタの番地を示す情報が含まれているフレームを識別する。前記種別符号挿入ステップは、前記番地情報を含むフレームの前であって前記識別符号の直後に番地情報を含むフレームであることを示す種別符号を挿入する。
従って、上記第８の見方によれば、同期符号の種別符号によってセクタの番地情報を含むフレームを容易に知ることができるので、同期符号内の前記種別情報と番地情報だけを読んで行くことによって、所望のブロックを読み出すための検索を高速に行うことができるとともに、所望のブロックの途中から同期符号付き符号語系列を読み出すことができるようにした同期符号付き符号語列を記録媒体上に記録する記録方法を提供することができる。
【００２８】
本発明第９の見方によれば、再生方法では、同期符号識別ステップは、上記第１の見方の記録媒体に記録された情報中の同期符号を、識別符号を検出することによって識別する。符号語同期ステップは、識別された同期符号に基づいて、読み取りクロックを符号語に同期する。種別読み取りステップは、符号語に同期された読み取りクロックに基づいて、同期符号の種別符号を読み取る。情報位置特定ステップは、読み取られた前記種別符号から、当該同期符号の直後に記録されている情報のブロック内における位置を特定する。
従って、上記第９の見方によれば、上記第１の見方の録媒体上に記録されている同期符号付き符号語系列から同期符号を正確に識別して読み取りクロックを符号語に同期することができるとともに、ブロック内における当該同期符号の直後に記録されている情報の位置を特定することにより、同期符号の直後に記録されている情報を選択的に読み取ることができる再生方法を提供することができる。
【００２９】
本発明第１０の見方によれば、同期符号識別ステップは、上記第２の見方の記録媒体から、その他の情報を表す前記符号語系列には存在しない特定パターンを含んだ識別符号を検出することにより、同期符号を識別する。符号語同期ステップは、識別された同期符号に基づいて、読み取りクロックを符号語に同期する。種別読み取りステップは、符号語に同期された読み取りクロックに基づいて、種別符号を符号語として読み取る。種別復号ステップは、読み取られた前記種別符号を符号語とみなして復号し、種別情報を抽出する。情報位置特定ステップは、抽出された種別情報から、当該同期符号の直後に記録されている情報のブロック内における位置を特定する。
従って、上記第１０の見方によれば、前記識別符号の特定パターンにより、同期符号を正確に識別して読み取りクロックを符号語に同期することができるとともに、前記種別符号を含んで形成される符号語を前記符号語群の１つとして読み取り、ブロック内における当該同期符号の直後に記録されている情報の位置を特定することにより、同期符号の直後に記録されている情報を選択的に読み取ることができる再生方法を提供することができる。
【００３０】
本発明第１１の見方によれば、再生方法では、同期符号識別ステップは、上記第４の見方の記録媒体から、記録された情報中の同期符号を、識別符号を検出することによって識別する。符号語同期ステップは、識別された同期符号に基づいて、読み取りクロックを符号語に同期する。種別読み取りステップは、符号語に同期された読み取りクロックに基づいて、同期符号の種別符号を読み取る。情報位置特定ステップは、読み取られた前記種別符号から、当該同期符号の直後に記録されている情報のブロック内における位置を特定する。番地認識ステップは、情報位置特定ステップによって番地情報を含むフレームの位置であることが特定されると、このフレーム内の所定位置の情報を番地情報として認識する。
従って、上記第１１の見方によれば、上記第４の見方の録媒体から、同期符号の種別符号によって番地情報を含むフレームを容易に知ることができるので、同期符号内の前記種別情報と番地情報だけを読んで行くことによって、所望のブロックを読み出すための検索を高速に行うことができるとともに、所望のブロックの途中から同期符号付き符号語系列を読み出すことができる再生方法を提供することができる。
【００３１】
本願は、１９９５年４月４日に出願された日本国特許出願、特願平７−７８９８８号を基礎出願とするもので、この基礎出願の内容全ては本願の内容の一部を構成するものとする。
【発明の効果】
【００３２】
本発明によれば、同期符号であることを表す識別符号を検出することにより、記録媒体に記録された情報中の同期符号を識別してフレーム同期を取ることができるとともに、識別符号直後に配置された種別符号を読み取ることにより、同期符号の種別によって表される情報であって、同期符号であること以外を表す情報を得ることができる同期符号付き符号語系列が記録された記録媒体を提供することができるという効果を奏する。
【発明を実施するための最良の形態】
【００３３】
（実施例１）
図１は、本実施例の記録媒体に書き込まれる変調前のデータとして同期符号付きデータを示す構成図である。
光ディスクには、同期符号を除く１６８×１６８バイトのデータ量を１ブロック（誤り訂正処理の１単位）として書き込まれる。図１は、その１ブロック分のデータを仮想的に２次元に配列した構成を示す概念図である。
【００３４】
ブロックを構成する２次元配列の各行は、同一フォーマットに定められており、同期符号（２バイト）、第１フレームのデータ（８４バイト）、別種の同期符号（２バイト）および第２フレームのデータ（８４バイト）が書き込まれる。各行は、同期符号Ｓ１，Ｓ２またはＳ３と、その後に第１のデータフレームでデータＤ1，1、Ｄ2，1、…、Ｄ156，1が書かれたものが続く。更に、同期符号Ｓ４と、その後に第２のデータフレームでデータＤ1,2、Ｄ2,2、…、Ｄ156，2が書かれたものが続く。前記各第２フレームは、末尾に、その行に書き込まれている２フレーム分のデータに対応した１０バイトのパリティＰｒを含んでいる。
【００３５】
ブロックは、図１に示された例では、１４行を１セクタとする１２個のセクタＳＥＣ１〜ＳＥＣ１２からなる。各セクタの前記同期符号Ｓ１またはＳ２に続く第１フレームには、当該セクタのアドレスが書き込まれる。
【００３６】
同期符号Ｓ１は、ブロックの先頭のセク夕ＳＥＣ１における第１フレームの直前に設けられ、ブロックの先頭であることを示す。同期符号Ｓ２は、ブロック先頭以外の各セクタの先頭にあたる第１フレームの直前に設けられ、セクタの先頭であることを示す。同期符号Ｓ３は、各セクタの第２〜１４行目の第１フレームの直前に設けられ、ブロックおよびセクタ先頭以外の行の先頭であることを示す。同期符号Ｓ４は、すべての行の第２フレームの直前に設けられ、各行の中間であることを示す。
【００３７】
なお、各セクタの第１４行目は、その列のパリティ行Ｐｃである。各セクタの１行目から１３行目までに書き込まれているデータを列方向に集めた１５６バイト（各行に１２バイトあるので１２×１３＝１５６）に対して生成される１２バイトのパリティがパリティ行Ｐｃ１〜Ｐｃ２４の対応する列に１バイトずつ配列されたものである。７個の１２バイトのパリティが１バイトごとに、対応する列のパリティ行Ｐｃ１〜Ｐｃ２４（１４行目）に書かれている。各セクタの第１４行目に分散されている前記パリティ行は、前記１ブロック全部のデータが読み込まれた後、誤り訂正処理に用いられる。
【００３８】
このように構成されたブロックは、後述の８−１５変換によって符号語に変換され、さらにＮＲＺＩ変調によりチャンネル信号が生成された後、例えば、光ディスクなどの記録媒体に書き込まれる。この際、同期符号Ｓ１〜Ｓ４の識別部は、８−１５変換の符号化規則によって前記データ中には出現（すなわち、記録）しない符号列に変換される。
【００３９】
図２および図３は、本実施例における８−１５変換の変換例を示す変換表である。
図２および図３に示すように、本実施例の８−１５変換では、データの８ビット（１バイト）に対して、１５ビットのパターンで表される少なくとも１つの符号語が対応付けられる。図２，図３に示すテーブルにおいて、１５ビットのパターンのＭＳＢ（最上位ビット）は、符号語を直結するための結合ビットとして用いられる。全ての結合ビットは、「０」で示されるが、ＤＣ制御により、「１」に変えることも可能である。ＤＣ制御の詳細は、１９８８年３月１日に発行された米国特許第４，７２８，９２９号明細書（S.Tanaka）に開示されており、同明細書は、本願の内容の一部を成すものとする。
【００４０】
この８−１５変換によって変換される符号語は、１つの符号語の中で「１」にはさまれて連続する「０」の個数が最大１３個（あるいは、１２個）で、最小２個になるように定められている。すなわち、前記符号語に対応するＮＲＺＩチャンネル信号の反転間隔で表すと、符号語の１ビットの長さをＴとするとき、最大反転間隔Ｔｍａx＝１４Ｔ（または、１３Ｔ）、最小反転間隔Ｔｍｉｎ＝３Ｔに定められる。また、各符号語の結合部においても、これらを結合した符号語列の中で「１」で挟まれた連続する「０」の個数が上記最大値と最小値とを満足するよう制御される。
【００４１】
図４は、本実施例の同期符号Ｓ１〜Ｓ４のデータ構造を示す説明図である。図４において、「Ｘ」は、「０」または「１」を表す。
同期符号Ｓ１〜Ｓ４は、２バイトのデータ長を有し、３０ビットの符号列で表される。前記各同期符号は、それぞれ、同期符号と他のデータとを識別するための識別部と、当該同期符号が挿入されるブロック中の位置を示す種別情報とを含んでいる。
【００４２】
前記識別部は、「１」で挟まれた連続する「０」の個数が１５個の符号列、すなわち、ＮＲＺＩ変調後のチャンネル信号では、反転間隔ＴＳ＝Ｔｍａｘ＋２Ｔ(または、Ｔｍａｘ＋３Ｔ)＝１６Ｔで表される。これは、同期符号以外のデータを表す符号語およびそれに対応するＮＲＺＩ変調後のチャンネル信号には出現しない符号列および反転間隔である。
【００４３】
前記種別情報は、同期符号の第２２ビットから第２６ビットまでの５ビットで表される。また、前記種別情報以外は、どの同期符号にも共通の符号が定められた固定部とする。前記固定部は、同期符号と同期符号以外のデータとの結合部において、８−１５変換の前記符号化規則を満足するよう定められる。
言うまでもなく、８−１５変換の代りに、８−１６変換を用いることも可能である。
【００４４】
また、同期符号の後半１５ビットの符号列は、８−１５変換による符号語として存在する符号列になるよう選ばれる符号語部である。前記種別情報は、５ビットの情報であるために、同期符号以外のデータを読み取るときのように１５ビットの符号語をデータの最小単位として読み取る方法では、前記種別情報だけをデータとして読み取ることはできない。従って、同期符号の後半１５ビットの符号列を符号語部とすることにより、記録媒体から再生された信号を８−１５逆変換する際に、前記種別情報を含んだ符号語部を他のデータと同様にして読み取ることができる。
言うまでもなく、８−１５変換の代りに、８−１６変換を用いることも可能である。
【００４５】
図７（ｃ）に示すＮＲＺＩチャンネル信号が光ディスクまたは他の記録媒体に記録される場合、ＮＲＺＩチャンネル信号のハイに対応してピットまたはマークがディスクのトラックに沿って形成され、ＮＲＺＩチャンネル信号のローに対応して、非ピットまたは非マークが形成される。ピットやマークは例えばレーザ光により形成されるので、かかるピットやマークの連続する長さや、かかるピットやマークが間欠する長さを制限する必要がある。もし、マークやマーク間隔が異常に長くなると、読み出しクロックを生成するために必要なＰＬＬ制御の安定性が損なわれ、ハイパスフィルタからの再成出力は、大きく変動する。他方、もし、レーザ光が異常に短くなると、ディスクにピットやマークが形成されないか、たとえ形成されたとしても異常に小さくなる。
【００４６】
これ等の理由により、本発明においては、データ（たとえばビデオやオーディオデータ）のためのピットやマークは、最長ピットまたはマーク長Ｔｍａｘが１４Ｔ（または１３Ｔ）に設定される一方、同期符号における識別部に用いられる特別のピットまたは特別のマークの長さＴＳは、Ｔｍａｘ＋ｎＴである。ここでｎは２に等しいか２より大きい整数であり、Ｔは二値化符号の１ビットに相当する単位長さである。ある実施例においては、ｎ＝２であり、また他の実施例においては、ｎ＝３に設定される。このように、識別部におけるピットまたはマークの長さを、同期符号以外のデータのピットまたはマークのいずれよりも長く選ぶことにより、識別部をかかるデータから区別することが可能となる。
【００４７】
また、本発明において、データや同期符号において用いられるピットやマークの最小の長さＴｍｉｎは、Ｔ3に設定されている。
図５は、本実施例の光ディスクから再生される再生信号と、前記再生信号から読み取られるＮＲＺＩチャンネル信号との関係を示す説明図である。図５（ａ）は、同期符号の識別部に対応して再生された前記再生信号およびその読み取りしきい値ＶＣとを示す。図５（ｂ）は、ピット間隔Ｔで与えられる読み取りクロックを示す。図５(ｃ)は、前記再生信号と、読み取りしきい値ＶＣ＝Ｖ0とを入力したコンバレータの出力信号を示す。図５（ｄ）は、図５（ｃ）に示したコンパレータの出力信号を、図５（ｂ）に示した読み取りクロックでサンプリングすることによって得られたＮＲＺＩチャンネル信号を示す。図５（ｅ）は、前記再生信号と、許容範囲を越えた読み取りしきい値ＶC＝Ｖ0＋ΔＶとを入力したコンパレータの出力信号を示す。図５（ｆ）は、図５（ｅ）に示したコンパレータの出力信号を、図５（ｂ）に示した読み取りクロックでサンプリングすることによって得られたＮＲＺＩチャンネル信号を示す。なお、前記コンパレータの出力信号は、再生信号と読み取りしきい値ＶＣとの交点でハイレベルに反転するものとし、図５（ｄ）に示した前記ＮＲＺＩチャンネル信号がローレベルからハイレベルに反転した時刻をｔ0とする。
【００４８】
記録媒体から再生された再生信号は、図５（ａ）に示すように、アナログ信号で得られる。このため、前記再生信号は、コンパレータにより、読み取りしきい値ＶC以上の値をハイレベルとし、読み取りしきい値ＶC未満の値をローレベルとしてデジタル化される。デジタル化されたコンバレー夕出力信号は、図５（ｂ）に示す読み取りクロックのタイミングでサンプリングされ、これにより、図５（ｄ）および図５（ｆ）に示すＮＲＺＩチャンネル信号が再生される。また、クロックとクロックとの中間を基準位置としてコンパレータ出力信号が反転するよう読み取りクロックの位相と読み取りしきい値とが制御されている。しかしながら、例えば、再生信号の読み始めなど、読み取りしきい値ＶＣが安定していない場合には、図５（ａ）に示したように前記読み取りしきい値ＶＣの変動を生じる。
【００４９】
図５（ｄ）に示したＮＲＺＩチャンネル信号が正しい読み取り結果であるとすれば、このＮＲＺＩチャンネル信号を正しく再生するための読み取りしきい値ＶCの変動の許容範囲（ＶCｍｉｎ，ＶCｍａｘ）、すなわち、ＮＲＺＩチャンネル信号の読み取りに、誤りが生じない範囲は、コンパレータ出力信号が反転するタイミングの基準位置からのずれΔＴで表される。すなわち、図５（ａ）の時刻（ｔ0−Ｔ）から時刻ｔ0に示したように、許容範囲内の読み取りしきい値ＶCの変動ＶCｍｉｎ≦ＶC≦ＶＣｍａxは、コンバレータ出力信号の反転タイミングの基準位置からのずれー（Ｔ／２）＜ΔＴ≦（Ｔ／２）で表される。
【００５０】
図５（ｃ）に示すように、時刻（ｔ0＋１５Ｔ）から時刻（ｔ0＋１６Ｔ）において、コンパレータ出力信号の反転タイミングは、−（Ｔ／２）＜ΔＴ≦（Ｔ／２）の許容範囲内で、基準位置からΔＴのずれを生じている。従って、時刻（ｔ0＋１６Ｔ）のクロックでは、正しいサンプリング値が得られている。
【００５１】
しかし、読み取りしきい値ＶＣの変動により、コンパレータ出力信号の反転タイミングの基準位置からのずれΔＴが、−（Ｔ／２）＜ΔＴ≦（Ｔ／２）で表される前記許容範囲を越えたような場合には、ＮＲＺＩチャンネル信号の立ち上がりで±Ｔ、ＮＲＺＩチャンネル信号の立ち下がりで−（±Ｔ）だけ、反転間隔がずれることになる。
【００５２】
雑音による読み取りしきい値ＶＣの再生信号に対する相対的変動により、一時的に、前記許容範囲を越えるような場合には、同期符号およびデータを表すＮＲＺＩチャンネル信号の反転位置が１ビットだけシフトすることがある。すなわち、符号語列の符号列の「１」の位置が隣の符号ビットに１ビットシフトされる。これによって生じたデータの読み取り誤りは、誤り訂正処理によって正しく訂正できる可能性が高い。逆にいえば、光ディスク再生装置の側では、雑音によって生じるこのような反転位置の１ビットシフトが訂正可能な出現頻度となる余裕度を持って設計されていなければ、実用に耐えられない。従って、雑音によっては、再生したＮＲＺＩチャンネル信号の反転間隔が２Ｔ以上ずれることはほとんどないとしてもよい。
【００５３】
この場合には、同期符号以外のデータを表すＮＲＺＩチャンネル信号中の最大反転間隔Ｔｍａx＝１４Ｔは、１３Ｔあるいは１５Ｔと読み取られる可能性はあるが、１２Ｔあるいは１６Ｔと読み取られる可能性はほとんどない。また、同期符号の識別部ＴＳ＝１６Ｔもまた、１５Ｔあるいは１７Ｔと読み取られる可能性がある。この場合には、まだ、同期符号以外のデータを表すＮＲＺＩチャンネル信号中には１６Ｔ以上反転間隔をもって反転する信号部分は出現しないので、反転間隔１６Ｔ以上の信号部分を同期符号の識別部であると判断することにより、同期符号以外のデータと同期符号とを正しく識別することができる。このとき、反転周期１５Ｔと読み取られた同期信号の識別部は無効とされるが、この場合には、ＮＲＺＩチャンネル信号中に同期符号が出現する周期性から判断して、無効とされた同期符号が同期符号以外のデータとして読み取られないよう制御される。
【００５４】
しかし、例えば、雑音以外の要因により図５（ａ）に２点鎖線で示したように、前記許容範囲を越える読み取りしきい値ＶCの変動が、ＶC＝Ｖ0＋ΔＶで持続する場合、図５（ｆ）に示すように、同期符号の識別部の両端におけるＮＲＺＩチャンネル信号の反転部分で、それぞれ反転間隔Ｔの読み取り誤りを生じるとともに、当該同期符号に続くデータ部分においても生じる。このような場合、同期符号以外のデータ中には現れない反転間隔１６Ｔ以上の信号部分を同期符号の識別部であると判断することによって、同期が乱され、データが読めなくなる。しかし、このような場合には、例え同期が乱されないとしても、これによって至る所に生じたデータの読み取り誤りを、誤り訂正処理によって正しく訂正できる可能性は低い。このように、光ディスク再生装置が、反転間隔が１８Ｔ以上となる信号部分を多数検出したときには、データの読み取り異常を検出し、それに応じた処理を行うようにする。
【００５５】
上記のように、同期符号の識別部の反転間隔ＴＳをＴＳ＝Ｔｍａｘ＋２Ｔの長さに定めることにより、データの読み取りが可能な範囲内で、正確に、同期符号とそれ以外のデータとを識別することができる。なおかつ、同期符号の識別部の反転間隔ＴＳをＴＳ＝Ｔｍａｘ＋２Ｔの長さに定めることにより、従来の同期符号のようにＴＳ＝２Ｔｍａｘとした場合に比べて、同期符号の識別部の長さを短縮することができ、その分だけ、同期符号に多様な機能を付加するための種別情報を含ませることができる。さらに、これにより、同期符号全体の長さを符号語の２倍の長さに定めることができるので、同期符号以外のデータを表す符号語を読み取る場合と同様にして、同期符号の前半部と後半部を区分することができ、後半部の種別情報を同期符号以外のデータを表す符号語と同様にして読み取ることができる。
【００５６】
図６は、本実施例の同期符号の種別情報およびそれに対応する符号語部の読み取り値を示すテーブルである。
各同期符号Ｓ１〜Ｓ４は、図４に示した同期符号の第２２ビットから第２６ビットまでの５ビットの種別情報によって、当該同期符号が挿入されているブロック中の位置を示す。同期符号Ｓ１は、種別情報１「１００１０」または種別情報２「０００１０」によって、当該同期符号Ｓ１がブロックの先頭に挿入されていることを示す。同様に、同期符号Ｓ２は、種別情報１「０１００１」または種別情報２「０１０００」によって、当該同期符号Ｓ２がブロックの先頭以外のセク夕の先頭に挿入されていることを示す。同期符号Ｓ３は、種別情報１「１０００１」または種別情報２「１００００」によって、当該同期符号Ｓ３が、ブロックの先頭およびセクタの先頭以外の行の先頭に挿入されていることを示す。同期符号Ｓ４は、種別情報１「０００００」または種別情報２「００００１」によって、当該同期符号Ｓ４が、各行の中間に位置するフレームの先頭に挿入されていることを示す。
【００５７】
また、図６に示すように、前記各種別情報は、それを含んだ符号語部を単位として読み取られる。例えば、同期符号Ｓ1の種別情報１「１００１０」は、図４に示した同期符号の第２２ビットから第２６ビットまでの５ビットに挿入される。従って、種別情報１「１００１０」を有する同期符号Ｓ1の符号パターンは、「００１０００００００００００００００１００１００１０００１０」となり、この同期符号Ｓ1の符号語部は、「０００１００１００１０００１０」となる。従って、種別情報１「１００１０」を有する同期符号Ｓ１の符号語部は、図２に示した８−１５変換テーブルにあるように、「１１４」と読み取られる。同様に、種別情報２「０００１０」を有する同期符号Ｓ１の符号語部は、「８６」と読み取られる。同期符号の識別部を識別した直後に読み取られた符号語が「１１４」または「８６」であれば、識別された同期符号は、ブロックの先頭に挿入される同期符号Ｓ１であることが判る。これと同様にして、他の種別を有する同期符号も識別することができる。
【００５８】
また、種別情報１および種別情報２は、同一の同期符号挿入位置を示す情報であるが、種別情報１は種別情報の５ビットに含まれる「１」の数が偶数であり、種別情報２は奇数である。
【００５９】
図７は、本実施例の同期符号における種別情報１または種別情報２の選択方法を説明する説明図である。図７では、同期符号Ｓ４の種別情報１または種別情報２の選択方法について例示するが、他の同期符号Ｓ１〜Ｓ３についても同様にして、種別情報１または種別情報２が選択される。また、同期符号Ｓ４は、図１に示すように、フレーム１と２の間に挿入される。
【００６０】
図７（ａ）は、すべての同期符号に共通の符号パターンを示す。図７（ｂ）は、同期符号Ｓ４の種別情報として、種別情報１が選択された場合のＤＳＶ（Digital Sum Variation）の変化を示す。図７（ｃ）は、同期符号Ｓ４の種別情報として、種別情報２が選択された場合のＤＳＶの変化を示す。前記ＤＳＶは、単位時間あたり、ＮＲＺＩチャンネル信号の波形がハイレベルであれば「＋１」、ローレベルであれば「−１」が加算されて算出される値であって、ＮＲＺＩチャンネル信号の直流成分の偏りを表す。前記ＤＳＶは、記録すべきデータの所定位置、例えば、記録すべきデータの先頭、あるいは、ブロックの先頭から累積的に加算された値となる。
【００６１】
同期符号Ｓ４は、図１に示したように、第１フレームと第２フレームとの間に挿入される。前記同期符号Ｓ４の種別情報として、種別情報１または種別情報２のいずれが適切かの決定をするため、記録すべきデータの先頭から当該同期符号Ｓ４の直前の位置となる第１フレームの末尾まで、ＤＳＶ値を累積的に加算する。時点Ｔｘ（図７）において、ＤＳＶメモリには、ＮＲＺＩチャンネル信号のレベル及びＤＳＶ値が記録され、図７に示す場合にあっては、ＤＳＶメモリには、ハイとｄ＝１２が記録される。フレーム２のＤＳＶの比較が行われる点においてＤＳＶ値ｄ１が計算され、この際同期符号Ｓ４の種別情報１（０００００）が利用される。次に、種別情報１の代りに種別情報２（００００１）が代用され、フレーム２のＤＳＶの比較が行われる点においてＤＳＶ値ｄ２が計算される。計算されたＤＳＶ値ｄ１とｄ２は比較され、フレーム２の第２フレーム中の所定のＤＳＶ比較位置におけるＤＳＶの絶対値が小さくなる方の種別情報が選択される。
【００６２】
第２フレームの先頭第５ビットまでのＤＳＶの値、種別情報１では図７（ｂ）に示すように「４」、種別情報２では図７（ｃ）に示すように「６」を示している。このＤＳＶは、さらに、第２フレーム中の所定のＤＳＶ比較位置まで算出されるとともに、ＤＳＶ比較位置におけるＤＳＶの絶対値が比較され、その絶対値が小さくなる方の種別情報が選択される。これにより、図１に示したフォーマットで記録媒体上に書き込まれる際、再生信号に生じる直流成分の偏りを抑制することができる。さらに、一般的に行われているように、符号列を別途、データ中に挿入することによって直流成分の偏りを抑制する場合に比較して、同期符号の種別を表す種別情報によって直流成分の偏りを抑制することができるので、直流成分の偏りを抑制するために挿入する符号列の量を低減することができ、記録媒体の記憶領域を有効に利用することができる。
【００６３】
以上のように、同期符号Ｓ１によって、ブロックの先頭を容易に識別することができ、１ブロックのデータを誤り訂正の単位として訂正能力の高い誤り訂正処理を行うことができる。
【００６４】
また、同期符号Ｓ２によって、ブロック内の各セクタアドレスが書きこまれているフレーム１の位置を容易に識別することができる。これにより、例えば、目標とするブロックをアクセスしたときに、目標のブロックの途中から読み始めた場合でも、直後の同期符号Ｓ２に続くセクタアドレスを読み取ることにより、そのセクタから目標のブロックの最後のセクタまでを一旦メモリ上に取り出すとともに、次に、目標のブロックの先頭から残りのセクタを取り出してメモリ上に取り出されたデータの前に補充することによって、短時間で目標のブロックのデータを読み出すことができる。
【００６５】
また、セクタアドレスが書き込まれているフレームの位置を容易に識別することができるので、アドレスだけを読みながら所望のトラックにアクセスすることができ、高速に検索動作を行うことができる。
【００６６】
また、同期符号Ｓ１〜Ｓ４によって、データ再生の際に生じるドロップアウトなどのビット落としに対して、１フレームごとに符号語の先頭ビットを識別し、再生されるデータのビットずれを修正することができる。
【００６７】
なお、本実施例では、同期符号の識別部として対応するＮＲＺＩチャンネル信号の反転間隔がＴＳ＝（Ｔｍａｘ＋２Ｔ）となる信号部分を用いたが、例えば、前記識別部として同期符号に対応するＮＲＺＩチャンネル信号の反転間隔が、ＴＳ＝（Ｔｍａｘ＋３Ｔ）となる信号部分を用いてもよい。この場合、読み取りしきい値ＶＣに一時的に許容範囲を越えた変動を生じ、読み取られたＮＲＺＩチャンネル信号の一部に、反転間隔が±Ｔのずれを生じた場合でも、同期符号以外のデータを表すＮＲＺＩチャンネル信号の読み取り最大反転間隔Ｔｍａｘ’は、
【００６８】
Ｔｍａｘ−Ｔ≦Ｔｍａｘ’≦Ｔｍａｘ＋Ｔ
同期符号の識別部に対応して読み取られたＮＲＺＩチャンネル信号の反転間隔ＴＳ’は、
Ｔｍａｘ＋２Ｔ≦ＴＳ’≦Ｔｍａｘ＋４Ｔ
となる。
【００６９】
同期符号の識別部に対応するＮＲＺＩチャンネル信号の反転間隔ＴＳは、ディスク上に形成されたピットまたはマークの長さを表すものであってもよく、逆に、かかるピットまたはマーク間隔の長さを表すものであってもよい。本発明においては、識別部のピット長ＴＳは、（Ｔｍａｘ＋２Ｔ）またはそれ以上に設定されるが、最も好ましくは、以下に説明するように（Ｔｍａｘ＋３Ｔ）とした場合である。
【００７０】
ディスク上のピットまたはマーク（以下、単にマークと言うが、ピットやマークを含むのみならず、他のプロジェクションのようなものも含む）の書き込みまたは読み出し（以下においては、読み出しの場合にのみ説明するが、書き込みの場合も同様に適用される）をする場合、マーク長Ｔｍａｘは、誤って（Ｔｍａｘ±Ｔ）として読まれる場合もある。
【００７１】
識別部のマーク長ＴＳが（Ｔｍａｘ＋２Ｔ）に選ばれていたとすれば、このマークは、誤って（Ｔｍａｘ＋２Ｔ）±Ｔ、すなわち（Ｔｍａｘ＋Ｔ）または（Ｔｍａｘ＋３Ｔ）として読まれる場合もある。同様に、最大データマーク長Ｔｍａｘは、誤って、（Ｔｍａｘ＋Ｔ）、すなわち（Ｔｍａｘ−Ｔ）または（Ｔｍａｘ＋Ｔ）として読まれる場合もある。この場合、識別部のマーク長を（Ｔｍａｘ＋２Ｔ）だけでなく、（Ｔｍａｘ＋３Ｔ）も有効なものとして含めれば、識別部のマーク長を（Ｔｍａｘ＋２Ｔ）だけを有効なものとするとした場合よりも、より高い信頼性で識別部のマークとデータにおける最大長のマークとの区別を行うことができる。ただ、この場合、誤って（Ｔｍａｘ＋Ｔ）として読まれた識別部は、データにおける最大長のマークが誤って（Ｔｍａｘ＋Ｔ）として読まれた場合と区別することができないので、無視しなければならない。
【００７２】
他方、識別部のマーク長ＴＳが（Ｔｍａｘ＋３Ｔ）に選ばれていたとすれば、このマークは誤って（Ｔｍａｘ＋３Ｔ）±Ｔ、すなわち（Ｔｍａｘ＋２Ｔ）または（Ｔｍａｘ＋４Ｔ）として読まれる場合もある。同様に最大データマーク長Ｔｍａｘは、誤って（Ｔｍａｘ±Ｔ）、すなわち（Ｔｍａｘ−Ｔ）または（Ｔｍａｘ＋Ｔ）として読まれる場合もある。この場合、識別部のマーク長を（Ｔｍａｘ＋２Ｔ）だけでなく、（Ｔｍａｘ＋３Ｔ）及び（Ｔｍａｘ＋４Ｔ）も有効なものとして含めれば、識別部のマークとデータの最大マークとの区別がより確実となる。従って、識別部のマーク長ＴＳを（Ｔｍａｘ＋２Ｔ）ではなく、（Ｔｍａｘ＋３Ｔ）に設定すれば、識別部分のマークとデータ最大マークの区別をより高い確率で行うことが可能となる。読み取られたＮＲＺＩチャンネル信号の反転間隔が（Ｔｍａｘ＋２Ｔ）以上となる信号部分を同期符号の識別部であると判断することによって、同期符号以外のデータと同期符号とを正しく識別することができるとともに、すべての同期符号を正しく識別することができる。無効とされる同期符号の数は減少され、ほぼ全ての同期符号は正しく識別され、フレームの開始点が識別可能となる。従って、再生時に生ずる信号のドロップアウトなどによるビットの欠落により、データビットがシフトされても正確に訂正することが可能となる。また、許容範囲を越えた読み取りしきい値ＶＣの変動が持続する場合には、ＮＲＺＩチャンネル信号の反転間隔が（Ｔｍａｘ＋５Ｔ）以上となる信号部分を検出することにより、データの読み取り異常を検出することができる。
【００７３】
なお、上記５ビットの種別情報は、前記ビットパターンおよび前記種別内容との対応に限定されず、種別情報１と種別情報２とが、５ビットのパターン内に含む「１」の数が奇数のパターンと偶数のパターンとの組であり、前記種別情報を含む同期符号の前記符号語部が符号語のパターンに存在するように選ばれるのであれば、どのように選ばれてもよい。種別情報は、また識別部の前に配置してもよい。
【００７４】
なお、種別情報の上記選択方法において、記録すべきデータの先頭から同期符号の直前まで累積的に加算されたＤＳＶの値に加算して、同期符号の種別に応じた種別情報１を有する同期符号が挿入された場合の同期符号に続くフレームの所定位置におけるＤＳＶの値と、同期符号の種別に応じた種別情報２を有する同期符号が挿入された場合の同期符号に続くフレームの所定位置におけるＤＳＶの値とを算出し、当該同期符号に続くフレームの所定位置におけるＤＳＶの絶対値が小さくなる方の種別情報が選択されるとしたが、種別情報を選択する基準となるＤＳＶの算出範囲は、上記範囲に限定されない。
【００７５】
具体的には、例えば、ブロックの先頭から（あるいは、同期符号の直前のフレームの先頭から、あるいは、同期符号の直前のフレームの所定の位置から)同期符号の直前まで累積的に加算されたＤＳＶの値に加算して、種別情報１または種別情報２を含んだ同期符号を挿入した場合の同期符号に続くフレームの所定位置までのＤＳＶの値を、種別情報１および種別情報２の両方について算出し、同期符号に続くフレームの所定位置までのＤＳＶの絶対値が小さくなる方の種別情報が選択されるようにしてもよい。
【００７６】
図１８，図１９は、本発明に基づき、ＮＲＺＩチャンネル信号が記録された光ディスクが示されている。図１８に示されている光ディスクは、書込み可能ディスクＲＤ（ＣＡＶ）であり、図１９に示されている光ディスクは、書込み不可能ディスクＮＤ（ＣＬＶ）、すなわちリードオンリディスクである。
【００７７】
図１８において、書込み可能ディスクＲＤに記録されたデータの配置について、以下に説明する。
まだ何も記録がなされていない新しい書込み可能ディスクＲＤには、トラックに沿った所定の位置にプリピットが予め形成されている。これ等のプリピットはディスクの所定位置ヘアクセスするためのアドレスとして機能する。記録はレーザービームによりトラックに沿ってＯＮ及びＯＦＦマークを形成することによりなされる。マークはまた、ディスク表面の物理的特性、例えば反射率を変えることによりなされる。ＯＮマークの部分は、かかる物理的変化が加えられ、ＯＦＦマークの部分は、かかる物理的変化が加わらない部分である。図１８の下部に示されているように、本発明の好ましい実施例においては、最長のマークは、識別部ＩＤのマークであり、１４Ｔの長さを有する。図１８に示される識別部ＩＤは、ＯＮマークにより形成されるが、逆にＯＦＦマーク（２つのＯＮマークの間に相当するマーク）により形成されてもよい。
【００７８】
図１８に示すように、書き込み可能ディスクＲＤにトラックに沿って書かれている符号は：
セクタアドレスＳＡ；同期符号Ｓ１；データ（たとえばビデオやオーディオデータ）及びへッダ符号Ｄ／Ｈ；同期符号Ｓ４；データ及びパリティ符号Ｄ／Ｐ；同期符号Ｓ３;データＤ;・・・・・・セクタアドレスＳＡ;同期符号Ｓ２；データ及びへッダＤ／Ｈ;同期符号Ｓ４:データ及びパリティ符号Ｄ／Ｐ:・・・・・・同期符号Ｓ４：
及びパリティ符号Ｐである。
【００７９】
本発明の好ましい実施例においては、同期符号における最長のマークは、識別部ＩＤであり、その長さは１４Ｔである。同期符号以外の部分における最長のマークは、１１Ｔとなっている。ここでマークは、ＯＮマークかＯＦＦマークのいずれであってもよい。
【００８０】
図１９に示すように、書き込み不可能ディスクＮＤにトラックに沿って書かれている符号は：
同期符号Ｓ１：データ（たとえばビデオやオーディオデータ）及びへツダ符号Ｄ／Ｈ；同期符号Ｓ４；データ及びパリティ符号Ｄ／Ｐ；同期符号Ｓ３；データＤ；同期符号Ｓ４；データ及びパリティ符号Ｄ／Ｐ；同期符号Ｓ３；データＤ；・・・・・・同期符号Ｓ２;データ及びへツダ符号Ｄ／Ｈ;・・・・・同期符号Ｓ４；パリティ符号Ｐである。
【００８１】
本発明の好ましい実施例においては、同期符号における最長のピットは、識別部ＩＤであり、その長さは１４Ｔである。同期符号以下の部分における最長のビットは、１１Ｔとなっている。ここでピットは、ピットが形成されているＯＮピットか、ピットとピットの間のＯＦＦピットのいずれであってもよい。
【００８２】
（実施例２）
図８は、本発明の第２実施例である光ディスク記録装置８００の構成を示すブロック図である。
【００８３】
光ディスク記録装置８００は、入力部８０１、メモリ８０２、パリティ生成部８０３、符号化部８０４、ＦＩＦＯ８０５、同期符号挿入部８０６、ＤＳＶ演算部８０７、同期符号パターン記憶部８０８およびＤＳＶ記憶部８０９を備える。
【００８４】
入力部８０１は、光ディスク上に記録すべきデータを入力し、入力したデータを、１フレームごとにメモリ８０２内の所定の位置に書き込む。
【００８５】
メモリ８０２は、図１に示した所定のフォーマットにしたがって、同期符号以外のデータを記憶する。
パリティ生成部８０３は、メモリ８０２内の所定位置に、図１に示したフォーマットで書き込まれている入力データの行要素および列要素に対応してパリティを生成し、生成したパリティをメモリ８０２内の所定位置に書き込む。
【００８６】
符号化部８０４は、メモリ８０２内に書き込まれている同期符号以外のデータを、ブロックの先頭から順次、読み出し、図２および図３に示した８−１５変換表および変換規則にしたがって、読み出したデータを符号語に変換するとともに、変換した符号語をＦＩＦＯ８０５に書き込む。
【００８７】
同期符号挿入部８０６は、ＦＩＦＯ８０５に書き込まれる符号語の数をカウントし、１フレームごとに、そのフレームの先頭に挿入する同期符号の種別を判定する。ＦＩＦＯ８０５に書き込まれたフレームの先頭に挿入されるべき同期符号の種別情報が、ＤＳＶ演算部８０７で選択されれば、同期符号挿入部８０６は選択された種別情報と同期符号の固定部の符号パターンを同期符号パターン記憶部８０８から読み取り、同期符号の固定部の所定の位置に種別情報を挿入して、同期符号を生成する。生成された同期符号を出力した後、同期符号挿入部８０６は、ＦＩＦＯ８０５から、該同期符号に続くフレームを読み出し、出力する。同期符号挿入部８０６から出力されたフレーム及び同期符号は、ＮＲＺＩチャンネル信号に変換され、光ディスクや他の記録媒体の所定のアドレスに書き込まれる。
【００８８】
ＤＳＶ演算部８０７は、同期符号の固定部の符号パターンと、同期符号挿入部８０６により決定された同期符号を識別する種別情報１及び２とを、同期符号パターン記憶部８０８から読み取り、種別情報１及び種別情報２がそれぞれ挿入された複数の同期符号の符号列を生成する。次いで、それは、ＦＩＦＯ８０５へ入力される符号列を、該同期符号に続くフレームからそのフレームの所定のＤＳＶ比較点まで読み取り、種別情報１を含む同期符号が符号語列の先頭に挿入された場合の符号語列を生成すると共に、種別情報２を含む同期符号が符号語列の先頭に挿入された場合の符号語列も生成される。
【００８９】
ＤＳＶ演算部８０７は、このように２つの生成された符号語列を、ＤＳＶ記憶部８０９に保持されたＮＲＺＩチャンネル信号の信号レベルを参照し、ＮＲＺＩチャンネル信号に変換し、ＤＳＶ記憶部８０９に記憶されたＤＳＶ値を基に、２つの符号語列の、ＮＲＺＩチャンネル信号のＤＳＶ値を計算する。ＤＳＶ演算部８０７は、符号語列の終わりに、すなわち、その同期符号に続くＤＳＶの比較点において２つのＤＳＶ計算結果の絶対値を比較し、そのＤＳＶ比較点において最も小さい絶対値を有するＤＳＶ計算結果に含まれている種別情報が選ばれる。ＤＳＶ演算部８０７は、ＤＳＶ記憶部８０９に記憶されている内容を、ＤＳＶ比較点で小さい方の絶対値を有するＤＳＶ計算結果と、ＤＳＶ計算結果の絶対値が小さい方のＮＲＺＩチャンネル信号のＤＳＶ比較点における信号レベルとを用いて更新する。次いで、更新されたＤＳＶ記憶部８０９に記憶された内容に基づいて、ＤＳＶ演算部８０７は再度ＤＳＶ比較点からフレームの最後までのＤＳＶ値を計算し、ＤＳＶ記憶部８０９の内容を計算結果と、フレームの最後のＮＲＺＩチャンネル信号のレベルを用いて再び更新する。
【００９０】
同期符号パターン記憶部８０８は、図４に示した同期符号の固定部の符号列と、図６に示した同期符号Ｓ１〜Ｓ４の種別に応じた種別情報１および種別情報２の５ビットのパターンとを記憶する。
【００９１】
ＤＳＶ記憶部８０９は、ＤＳＶ演算部８０７によって更新されたＤＳＶの値と、それに対応するＮＲＺＩチャンネル信号のレベルとを記憶する。
【００９２】
図９は、本実施例の光ディスク記録装置における同期符号付きデータの記録方法の処理手順を示すフローチャートである。
【００９３】
入力部８０１に入力されたデータは（ステップＳ９０１）、１フレームごとに順次、メモリ８０２内の所定位置に書き込まれる（ステップＳ９０２）。すべてのデータがメモリ８０２内に書き込まれると（ステップＳ９０３）、メモリ８０２内のデータの各行要素および各列要素に対応してパリティが生成され（ステップＳ９０４）、生成されたパリティはメモリ８０２内の所定位置に書き込まれる（ステップＳ９０５）。
【００９４】
同期符号挿入部８０６は、メモリ８０２から読み出されるデータの先頭に挿入すべき同期符号の種別を判断するための各パラメータを初期化する。ＤＳＶ演算部８０７は、ＤＳＶ記憶部８０９の記憶内容を初期化する。
【００９５】
具体的には、メモリ８０２から読み出されるフレームが第１フレーム（ｉ＝１）か第２フレームかくｉ＝２）をカウントするパラメータをｉ（フレーム値パラメータｉ）とし、各フレームの行数をカウントするためのパラメータをｋ（行値パラメータｋ，１≦ｋ≦１４）とし、セクタ数をカウントするパラメータをｊ（セクタ値パラメータｊ，１≦ｊ≦１２）として、ｉ＝０、j＝１、ｋ＝１に初期化する。また、ＤＳＶ記憶部８０９の記憶内容については、ＮＲＺＩチャンネル信号の初期レベルが、例えば、ローレベルに、ＤＳＶの初期値が、例えば、「０」にセットされる（ステップＳ９０６）。
【００９６】
符号化部８０４は、メモリ８０２内に未処理のデータがあれば（ステップＳ９０７）、メモリ８０２から所定のＤＳＶ比較位置までのデータを読み出すとともに（ステップＳ９０８）、読み出したデータを、８−１５変換により、読み出した８ビットのデータに対して１５ビットの符号語からなる符号語列に符号化してＦＩＦＯ８０５に書き込む（ステップＳ９０９）。
【００９７】
新たなフレームの符号語列がＦＩＦＯ８０５に書き込まれると、同期符号挿入部８０６は、パラメータｉをインクリメントする（ステップＳ９１０）。
【００９８】
同期符号挿入部８０６は、パラメータｉがｉ＝１であって（ステップＳ９１１）、かつ、パラメータｋがｋ＝１で（ステップＳ９１２）、パラメータｊがｊ＝１であれば（ステップＳ９１８）、同期符号挿入部８０６は、ＦＩＦＯ８０５に書き込まれたフレームの先頭に挿入すべき同期符号の種別が、ブロックの先頭を示す同期符号Ｓ１であると判定する（ステップＳ９ｌ９）。
【００９９】
ＤＳＶ演算部８０７は、ＦＩＦＯ８０５に書き込まれた第１フレームの先頭に、同期符号挿入部８０６によって判定された種別を有する同期符号を挿入した場合の前記第１フレーム中のＤＳＶ比較位置におけるＤＳＶの値を、同期符号が種別情報１を有する場合と同期符号が種別情報２を有する場合との両方の場合について算出し、前記第１フレーム中のＤＳＶ比較位置におけるＤＳＶの絶対値が小さくなる方の種別情報を選択する（ステップＳ９２０）。なお、ステップＳ９２０の処理手順については、図１０を用いて、より詳細に説明する。
【０１００】
同期符号挿入部８０６は、ＤＳＶ演算部８０７によって選択された種別情報を有する同期符号を生成する（ステップＳ９２１）。
【０１０１】
次いで、同期符号挿入部８０６は、ＦＩＦＯ８０５から当該第１フレームを取り出して、生成した同期符号をその先頭に挿入する（ステップＳ９１６）。さらに、ＦＩＦＯ８０５に書き込まれた１フレーム分の符号語列を出力するとともに（ステップＳ９１７）、ステップＳ９０７の処理に戻る。
【０１０２】
また、パラメータｉがｉ＝１で（ステップＳ９ｌ１）、かつ、パラメータｋがｋ＝１で（ステップＳ９ｌ２）、パラメータjがｊ≠１であれば（ステップＳ９１８）同期符号挿入部８０６は、ＦＩＦＯ８０５に書き込まれたフレームの先頭に挿入すべき同期符号の種別が、セクタの先頭を示す同期符号Ｓ２であると判定する（ステップＳ９２２）。
【０１０３】
ＤＳＶ演算部８０７は、ステップＳ９２０の処理と同様にして、同期符号Ｓ２の種別情報を選択する（ステップＳ９２３）。
同期符号挿入部８０６は、ＤＳＶ演算部８０７によって選択された種別情報を有する同期符号Ｓ２を生成し（ステップＳ９２４）、ステップＳ９１６の処理に戻る。
【０１０４】
さらに、同期符号挿入部８０６は、パラメータｋがｋ≠１であれば（ステップＳ９ｌ２）、ＦＩＦＯ８０５に書き込まれたフレームの先頭に挿入すべき同期符号の種別が、ブロック先頭およびセクタ先頭以外の行の先頭を示す同期符号Ｓ３であると判定する（ステップＳ９１３）。
【０１０５】
ＤＳＶ演算部８０７は、ステップＳ９２０の処理と同様にして、同期符号Ｓ３の種別情報を選択する（ステップＳ９１４）。
【０１０６】
同期符号挿入部８０６は、ＤＳＶ演算部８０７によって選択された種別情報を有する同期符号Ｓ３を生成し（ステップＳ９１５）、ステップＳ９１６の処理に戻る。
【０１０７】
また、同期符号挿入部８０６は、パラメータｉがｉ＝２であれば、すなわちｉ＝１でなければ（ステップＳ９ｌ１）、ＦＩＦＯ８０５に書き込まれたフレームの先頭に挿入すべき同期符号の種別が、各行の中間に位置する第２フレーム先頭を示す同期符号Ｓ４であると判定する（ステップＳ９２５）。
【０１０８】
ＤＳＶ演算部８０７は、ステップＳ９１４の処理と同様にして、同期符号Ｓ４の種別情報を選択する（ステップＳ９２６）。
【０１０９】
同期符号挿入部８０６は、ＤＳＶ演算部８０７によって選択された種別情報を有する同期符号Ｓ４を生成する（ステップＳ９２７）。
【０１１０】
さらに、同期符号挿入部８０６は、次にＦＩＦＯ８０５に書き込まれるフレームは、次の行の第１フレームとなるので、パラメータｉをｉ＝０とするとともに、パラメータｋをインクリメントし、パラメータｋをｋ＝１とする（ステップＳ９２９）。
【０１１１】
このとき、パラメータｋが１４＜ｋであれば（ステップＳ９３０）、次にＦＩＦＯ８０５に書き込まれるフレームは次のセクタの先頭第１フレームとなるので、パラメータｊをインクリメントし、パラメータｋをｋ＝１とする（ステップＳ９３１）。パラメータｋが１４＜ｋでなければ（ステップＳ９３０）、ステップＳ９１６の後にジャンプする。
【０１１２】
また、ステップＳ９３２でパラメータｊをインクリメントした結果が１２＜ｊであれば、次にＦＩＦＯ８０５に書き込まれるフレームは次のブロックの先頭第１フレームとなるので、パラメータｊをｊ＝１とするとともに（ステップＳ９３３）、ステップＳ９０１の処理に戻る。
【０１１３】
ステップＳ９１６からステップＳ９０７に戻り、符号化部８０４は、メモリ８０２内に未処理のデータがなくなれば処理を終了する。
【０１１４】
図１０は、図９に示したステップＳ９１４、ステップＳ９２０、ステップＳ９２３およびステップＳ９２６における種別情報選択処理の手順を示すフローチャートである。
【０１１５】
ＤＳＶ演算部８０７は、同期符号挿入部８０６によって判定された種別を示す種別情報１及び２の５ビットのパターンと同期符号の固定部の符号パターンとを同期符号パターン記憶部８０８から読み出す（ステップＳ１００１）。
【０１１６】
次いで、読み出した種別情報１の５ビットのパターンを、同時に読み出した同期符号の固定部の符号パターンの第２２ビットから第２６ビットまでの位置に挿入し、判定された種別の同期符号を表す符号列Ａを生成する（ステップＳ１００２）。
【０１１７】
同様に、ＤＳＶ演算部８０７は、読み出した種別情報２の５ビットのパターンを、同時に読み出した同期符号の固定部の符号パターンの第２２ビットから第２６ビットまでの位置に挿入し、判定された種別の同期符号を表す符号列Ｂを生成する（ステップＳ１００３）。
【０１１８】
ＤＳＶ演算部８０７は、ＦＩＦＯ８０５に記憶されているフレームの先頭から、所定のＤＳＶ比較点までの符号語列Ｃを読む（ステップＳ１Ｏ０４）。ＤＳＶ演算部８０７は、さらに、ステップＳ１００２とステップＳ１００３で生成した同期符号列Ａ及びＢを、それぞれＦＩＦＯ８０５が読み出したフレームの符号語列Ｃの先頭に挿入し、２つの符号列Ａ＋Ｃ及びＢ＋Ｃを生成する（ステップＳ１００５）。
【０１１９】
ＤＳＶ演算部８０７は、同期符号の直前ビットにおけるＮＲＺＩチャンネル信号のレベルであって、ＤＳＶ記憶部８０９に保持された値に基づいて、生成された符号列Ａ＋Ｃ及びＢ＋Ｃに対応するＮＲＺＩチャンネル信号を生成する（ステップＳ１００６）。
【０１２０】
ＤＳＶ演算部８０７は、ＤＳＶ記憶部８０９に記憶されている、同期符号直前のＤＳＶ値に基づいて、符号列Ａ＋Ｃ及びＢ＋Ｃに対応するＮＲＺＩチャンネル信号のＤＳＶ値を計算する（ステップＳ１００７）。
【０１２１】
ＤＳＶ演算部８０７は、種別情報１を有する符号列Ａ＋Ｃに対して生成されたＮＲＺＩチャンネル信号の末尾におけるＤＳＶ演算結果の絶対値｜ｄ１｜と、種別情報２を有する符号列Ｂ＋Ｃに対して生成されたＮＲＺＩチャンネル信号の末尾におけるＤＳＶ演算結果の絶対値｜ｄ２｜とを比較する。
【０１２２】
もし、｜ｄ１｜≦｜ｄ２｜であれば（ステップＳ１００８）、種別情報１を選択する（ステップＳ１００９）。ＤＳＶ演算部８０７は、さらに、種別情報１を有する符号列Ａ＋Ｃに対して生成されたＮＲＺＩチャンネル信号の末尾におけるＮＲＺＩチャンネル信号のレベルと、ＤＳＶ演算結果ｄ１とをＤＳＶ記憶部８０９に書き込み、ＤＳＶ記憶部８０９の記憶内容を更新するとともに、種別情報選択処理を終了する（ステップＳ１０１０）。
【０１２３】
演算結果ｄ１、ｄ２の絶対値｜ｄ１｜、｜ｄ２｜を比較して、｜ｄ１｜＞｜ｄ２｜であれば、すなわちステップＳ１００８での結果がＮＯであれば、ＤＳＶ演算部８０７は、種別情報２を選択する（ステップＳ１０１１）。
【０１２４】
ＤＳＶ演算部８０７は、さらに、種別情報２を有する符号列Ｂ＋Ｃに対して生成されたＮＲＺＩチャンネル信号の末尾におけるＮＲＺＩチャンネル信号のレベルと、ＤＳＶ演算結果ｄ２とをＤＳＶ記憶部８０９に書き込み、ＤＳＶ記憶部８０９の記憶内容を更新するとともに、種別情報選択処理を終了する（ステップＳ１０１２）。
【０１２５】
以上のように、本実施例によれば、実施例１で説明したように、多様な機能を有し、同期符号以外のデータとは正確に識別することができる同期符号が挿入された同期符号付きデータを、光ディスク又は他の記録媒体上に、記録する記録装置８００及び記録方法を提供することができる。
【０１２６】
また、前記記録媒体は、記録装置において記録された上記同期符号付きデータを、再生装置に伝送するための伝送路と考えることができる。従って、本実施例によれば、実施例１で説明したように、多様な機能を有し、同期符号以外のデータとは正確に識別することができる同期符号が挿入された同期符号付きデータを、伝送路に伝送する伝送方法を提供することができる。
【０１２７】
（実施例３）
図１１は、本実施例の光ディスク再生装置１１００の構成を示すブロック図である。光ディスク再生装置１１００は、同期符号識別部１１０１、種別情報読み取り部１１０２、読み取り制御部１１０３、複号部１１０４、誤り訂正部１１０５および出力部１１０６を備える。
【０１２８】
同期符号識別部１１０１は、光ディスク上に記録されている同期符号付きデータを再生信号として取り出し、取り出した再生信号をデジタル化してＮＲＺＩチャンネル信号に変換し、さらに、ＮＲＺＩチャンネル信号を１５ビットの符号語からなる符号語列（パラレルデー夕）に復調して、種別情報読み取り部１１０２に出力する。また、同期符号識別部１１０１は、復号されたＮＲＺＩチャンネル信号のうち、反転間隔が１６Ｔまたはそれ以上となる信号部分を同期符号の識別部として識別し、同期符号検出信号を種別情報読み取り部１１０２に出力する。
【０１２９】
反転間隔が１６Ｔまたはそれ以上となるＮＲＺＩチャンネルの信号部分が識別されれば、同期符号識別部１１０１は、セット信号を読み取り制御部１１０３に出力する。
【０１３０】
種別情報読み取り部１１０２は、実際には、復号部１１０４と同一のものであるが、同期符号識別部１１０１によって識別部が識別された直後に同期符号識別部１１０１から渡された符号語，すなわち、同期符号検出信号直後の同期符号種別情報が含まれている符号語をデータとして読み取る。読み取った種別情報は、読み取り制御部１１０３に送られる。
【０１３１】
読み取り制御部１１０３は、ＮＲＺＩチャンネル信号の反転毎に読み取り、クロックの周期および位相を同期させるとともに、同期符号識別部１１０１が同期符号の識別部（すなわち、ＮＲＺＩチャンネル信号の一部で反転間隔ＴＳが１６Ｔである部分）を識別する毎に、すなわち、セット信号のタイミングで、同期符号識別部１１０１から種別情報読み取り部１１０２に渡される符号語の先頭ビットを同期する。また、読み取り制御部１１０３は、復号部１１０４によって復号されたデータの内容を読み取り、光ディスク再生装置１１００の各構成要素の動作を制御する。
【０１３２】
復号部１１０４は、同期符号識別部１１０１から渡された１５ビットからなる符号語の所定量ごとに８−１５変換の逆変換を施して、図示しないメモリ内の所定位置に書き込む。
【０１３３】
誤り訂正部１１０５は、図示しないメモリ内の所定位置に書き込まれたデータからパリティを読み出して、誤り訂正処理を行う。メモリに記憶されたデータは、誤り訂正が施されたデータを用いて更新される。
出力部１１０６は、誤り訂正が施されたデータを図示しないメモリから順次読み出して出力する。
【０１３４】
図１２は、図１１に示した同期符号識別部１１０１および読み取り制御部１１０３のハードウェア構成を示すブロック図である。
同期符号識別部１１０１および読み取り制御部１１０３は、コンパレータ１２０１、しきい値生成部１２０２、クロック抽出部１２０３、ビット同期部１２０４、シフトレジスタ１２０５、識別部１２０６、１／１５分周器１２０７およびラッチ回路１２０８を備える。
【０１３５】
コンパレータ１２０１は、光ディスクから再生された再生信号と、しきい値生成部１２０２から入力された読み取りしきい値とを比較し、再生信号の中で読み取りしきい値以上の値をハイレベルに、読み取りしきい値未満の値をローレベルに変換して、入力された再生信号をデジタル化する。
【０１３６】
しきい値生成部１２０２は、コンパレータ１２０１の読み取りしきい値を生成する。
クロック抽出部１２０３は、ＰＬＬ（Phase Lock Loop）からなり、生成した読み取りクロックの中間位置でコンパレー夕１２０１の出力が反転するよう、読み取りクロックの周期および位相を同期する。
【０１３７】
ビット同期部１２０４は、クロック抽出部１２０３からの読み取りクロックのタイミングでコンパレータ１２０１の出力をサンプリングし、再生信号をＮＲＺＩチャンネル信号に変換するとともに、変換後のＮＲＺＩチャンネル信号をＮＲＺ（non return to zero）信号に復調する。
シフトレジスタ１２０５は、クロック抽出部１２０３からのクロックのタイミングで、シリアルデータとして符号語を表しているＮＲＺ信号を順次入力し、１５ビットのパラレルデータとしてラッチ回路１２０８に出力する。
【０１３８】
識別部１２０６は、ＮＲＺＩチャンネル信号の反転間隔１６Ｔに対応する「１０００００００００００００００１」またはＮＲＺＩチャンネル信号の反転間隔１７Ｔに対応する「１００００００００００００００００１」を示すＮＲＺ信号が入力されたとき、同期符号の識別部を識別したことを示す同期符号検出信号を種別情報読み取り部１１０２に出力する。また、ＮＲＺＩチャンネル信号の反転間隔１６Ｔに対応する「１０００００００００００００００１」を示すＮＲＺ信号が入力されたとき、１／１５分周器１２０７にセット信号を出力し、セット信号から２読み取りクロック前のタイミングで、１／１５に分周された読み取りクロック（ワードクロック）が出力されるよう１／１５分周器１２０７の位相を同期する。
【０１３９】
１／１５分周器１２０７は、読み取りクロックを１／１５に分周したワードクロックを発生する。１／１５分周器１２０７は、ワードクロックの位相を同期し、ワードクロックの立ち上がり（または立ち下がり）が、セット信号出力からの第３読み取りクロック前に、すなわちセット信号から１２番目の読み取りクロックで出力される。
【０１４０】
ラッチ回路１２０８は、シフトレジスタ１２０５からの１５ビットのパラレルデータを１／１５分周器１２０７からのワードクロックのタイミングで保持し、復号部１１０４に出力する。
【０１４１】
図１３は、図１２に示したシフトレジスタ１２０５及び識別部１２０６のハードウェア構成を示すブロック図である。図１３において、シフトレジス夕１２０５からの符号列の上位ビットは右側に示され、下位ビットは左側に示されている。また、シフトレジス夕１２０５の出力の最上位ビット（ＭＳＢ）から数えてｎ番目のビットは、以下単にビットｎと言う。
【０１４２】
識別部１２０６は、ＯＲ回路１３０１、インバータ１３０２、ＮＯＲ回路１３０３、ＡＮＤ回路１３０４およびＡＮＤ回路１３０５を備える。
シフトレジスタ１２０５から出力されるパラレルデータのビット１７、１８はＯＲ回路１３０１に入力され、その入力のうち、少なくともいずれかi一方が「１」であれば、「１」を出力する。
【０１４３】
シフトレジスタ１２０５からのパラレルデータ出力のビット１は、インバータ１３０２に入力され、その入力ビットが反転され、反転ビットが出力される。
シフトレジスタ１２０５からのバラレルデータ出力のビット１〜１６（但しビット１はインバータ１３０２で反転されたもの）は、ＮＯＲ回路１３０３に入力される。全ての入力が「０」であれば、ＮＯＲ回路１３０３からは「１」が出力される。
【０１４４】
ＮＯＲ回路１３０３からの出力と、シフトレジスタ１２０５からのビット１７はＡＮＤ回路１３０４に入力され、その入力が共に「１」であれば、「１」が出力される。
ＮＯＲ回路１３０３の出力とＯＲ回路１３０１の出力は、他方のＡＮＤ回路１３０５に入力され、その入力が共に「１」であれば、「１」が出力される。
【０１４５】
識別部１２０６全体の動作については、以下に詳述する。
図１３に示すように、シフトレジスタ１２０５からの出力のうち、第１ビットはインバー夕１３０２を介して、また、第２ビットから第１６ビットまでは直接、ＮＯＲ回路１３０３に入力される。これにより、ＮＯＲ回路１３０３は、シフトレジスタ１２０５の第１ビットが「１」で、第２ビットから第１６ビットまでがすべて「０」のときにだけ１を出力する。ＡＮＤ回路１３０４には、ＮＯＲ回路１３０３の出力と、シフトレジスタ１２０５の第１７ビット出力とが入力されており、このＡＮＤ回路１３０４は、シフトレジスタ１２０５の出力のうち、第１ビットと第１７ビットとが「１」で、第２ビットから第１６ビットまでのすべてのビットが「０」となるときにだけ「１」を出力する。このビット列は、ＮＲＺＩ信号の反転間隔ＴＳ＝１６Ｔで表される同期符号の識別部を示す符号列に相当する。このＡＮＤ回路１３０４の出力は、１／１５分周器１２０７の位相を合わせるためのセット信号として用いられる。従って、雑音などの要因によってＮＲＺＩチャンネル信号の反転間隔ＴＳに±Ｔのずれを生じ、ＴＳ＝１７Ｔとなった場合には、前記セット信号は発生されない。
【０１４６】
また、シフトレジスタ１２０５からの出力のうち、第１７ビットと第１８ビットとは、ＯＲ回路１３０１に入力される。ＡＮＤ回路１３０５には、ＮＯＲ回路１３０３の出力と、ＯＲ回路１３０１の出力とが入力されており、従って、ＡＮＤ回路１３０５は、シフトレジスタ１２０５の出力のうち、第１ビットが「１」で、第２ビットから第１６ビットまでのすべてのビットが「０」であり、第１７ビットと第１８ビットとのうちのいずれかが「１」であれば「１」を出力する。ＡＮＤ回路１３０５の出力は、同期符号検出信号として、種別情報読み取り部１１０２に出力される。従って、雑音などの要因によってＮＲＺＩ信号の反転間隔ＴＳに±Ｔのずれを生じ、ＴＳ＝１７Ｔとなった場合にも、同期符号検出信号は出力される。
【０１４７】
更に、ＡＮＤ回路１３０５からの出力「１」は、たとえ同期符号を含むデータを読み取る際に少しの読み取り誤りが生じたとしても、他のデータから同期符号は正しく識別され、生じた読み取り誤りは、誤り訂正処理の訂正許容範囲内のものとされる。従って、ＡＮＤ回路１３０５からの出力は、同期符号検出信号として種別情報読み取り部１１０２に送られる。
【０１４８】
これにより、雑音などの要因によってＮＲＺＩチャンネル信号の反転間隔ＴＳに±Ｔのずれを生じ、ＴＳ＝１７Ｔとなった場合にも同期符号の識別部を検出し、同期符号の種別情報を読み取ることができる。また、ＮＲＺＩチャンネル信号の反転間隔ＴＳが、ＴＳ＝１７Ｔとなった場合には、同期符号の識別部に対応するＮＲＺＩ信号の立ち上がりあるいは立ち下がりのどちら側に反転位置のシフトを生じているか判別できないため、識別部のＮＲＺＩチャンネル信号の反転間隔ＴＳがＴＳ＝１７Ｔとなった同期符号は、符号語の先頭ビットの検出に用いるには適さない。従って、読み取り誤差を生じていない同期符号の識別部だけを用いて符号語の先頭ビットを検出することによって、符号語列からなるデータの符号語を正確に読み取ることができる。
【０１４９】
図１に示すように、この実施例においては、セクタアドレスＳＡが各同期符号Ｓ１、Ｓ２の直後に設けられている。セクタアドレスＳＡ１２は、４バイトのアドレス部分、２バイトの誤り訂正部分、６バイトの属性部分が含まれる。各セクタアドレスには、ブロックのアドレスと、セクタのアドレスが保持されている。更に、各セクタの末尾でパリティ部分の前には、４バイトの誤り検出符号ＥＤＣが設けられ、データ領域の誤りをチェックする。
【０１５０】
本発明に係る光ディスク再生装置１１００の動作には、以下、図１４のフローチャートを参照して詳述する。
光ディスク再生装置１１００のヘッドから、光ディスクに記録されている同期符号つきデータを表す再生信号が、同期符号識別部１１０１に入力される（ステップＳ１４０１）。
【０１５１】
同期符号識別部１１０１は、再生信号からＮＲＺＩチャンネル信号を取り出し、さらに、ＮＲＺ信号に復調して（ステップＳ１４０２）、ＮＲＺ信号に含まれている同期符号の識別部、すなわち、対応するＮＲＺＩチャンネル信号の反転間隔ＴＳ≧１６Ｔの信号部分を識別し、種別情報読み取り部１１０２に同期符号検出信号を出力する（ステップＳ１４０３）。
【０１５２】
種別情報読み取り部１１０２は、同期符号検出信号が出力された直後に読み取られる符号語を同期符号の符号語部として、復号して読み取り、同期符号の種別を識別する（ステップＳ１４０４）。
【０１５３】
読み取り制御部１１０３は、種別が識別された同期符号が同期符号Ｓ１で（ステップＳ１４０５）、その同期符号Ｓ１の挿入位置が所望のブロックの先頭であって（ステップＳ１４０６）、そのブロックの途中から末尾までがすでにメモリに読み出されていれば（ステップＳ１４０７）、読み取り制御部１１０３は、そのブロックの先頭から、ステップ１４１７で検出され、保持されたセクタアドレスまで、すなわち前半部分を読み、（ステップＳ１４０８）、メモリ内に読み出されているデータの前部に挿入する（ステップＳ１４０９）。このようにして、データの前半部分と後半部分が結合され、一つの完成されたブロックのデータを生成する。
【０１５４】
読み取り制御部１１０３は、そのブロックのデータが途中からすなわち後半部分がメモリに読み出されている場合でなければ（ステップＳ１４０７）、次の同期符号Ｓ１の直前までの１ブロック分のデータを読み出し（ステップＳ１４１０）、記憶部内に書き込む（ステップＳ１４１１）。
誤り訂正部１１０５は、メモリ内に書き込まれた１ブロックのデータの誤り訂正を行う（ステップＳ１４１２）。
【０１５５】
誤りが訂正されたデータは、順次、メモリ内から読み出されて出力される（ステップＳ１４１３）。
読み取り制御部１１０３は、種別が識別された同期符号が同期符号Ｓ１でなく（ステップＳ１４０５）、種別が識別された同期符号が同期符号Ｓ２であれば（ステップＳ１４１４）、同期符号Ｓ２に続いて第１フレーム内に書き込まれているセクタアドレスを読み取り、所望のブロック内のセクタであるかを調べる（ステップＳ１４１５）。
【０１５６】
読み取ったアドレスＳＡから当該セクタが、所望のブロック内のセクタであれば（ステップＳ１４１６）、そのセクタアドレスＳＡを別途記憶し（ステップＳ１４１７）、次の同期符号Ｓ１の直前までのデータ、すなわち後半のブロックデータを読み出すとともに（ステップＳ１４１８）、メモリ内の所定位置に書き込み（ステップＳ１４１９）、ステップＳ１４０１の処理に戻る。
【０１５７】
以上のように、本実施例によれば、実施例１で説明したように、多様な機能を有し、同期符号以外のデータとは正確に識別することができる同期符号が挿入された同期符号付きデータを、記録媒体上から読み取る読み取り方法を提供することができる。従って、この方法によれば、光ディスクなどの記録媒体に記録されているデータを高速に検索し、正確に読み取ることができるとともに、読み取り誤りが発生したときには高い訂正能力で訂正して正確なデータを出力することができる。
【０１５８】
また、前記記録媒体は、記録装置において記録された上記同期符号付きデータを、再生装置に伝送するための伝送路と考えることができる。従って、本実施例によれば、実施例１で説明したように、多様な機能を有し、同期符号以外のデータとは正確に識別することができる同期符号が挿入された同期符号付きデータを、伝送路から読み取る読み取り方法を提供することができる。
【０１５９】
なお、ＤＳＶは、ブロックごとに単独に計数するようにしたが、複数ブロックを連続して記録するときには、先頭ブロックの前でＤＳＶを「０」にクリアして、以後、前記複数ブロックの間、継続してＤＳＶを計数するようにしてもよい。
【０１６０】
（実施例４）
以下に、図１５から図１７を用いて、同期符号の種別を判定することによって、セクタ内における個々のフレームの位置まで、特定することができるように工夫された同期符号付きのデータが記録されている記録媒体を説明する。
【０１６１】
図１５Ａ、図１５Ｂは、本実施例の記録媒体に書き込まれる変調前のデータとしてさらに工夫された同期符号付きデータを示す構成図である。図１５Ａは、ブロックの先頭物理セクタにおける同期符号付きデータを示す。図１５Ｂは、ブロックの先頭以外の物理セクタにおける同期符号付きデータを示す。図１５Ａ、図１５Ｂは、その１セクタ分のデータを仮想的に２次元に配列した構成を示す概念図である。
【０１６２】
光ディスクには、１２個のセクタからなる１ブロックを誤り訂正処理の１単位とする同期符号付きデータが、符号化および変調されて書き込まれる。前記各セクタには、９１バイトのデータを符号語に変換した１３６５チャネルビットのデータを１フレームとし、２フレーム×１３行のデータが書き込まれる。また、則記各フレームの先頭には、３１チャネルビットの同期符号ＳＹＳ０〜ＳＹＳ５が挿入される。
【０１６３】
同期符号ＳＹＳ０は、同期符号ＳＹＳ０を含むセクタが、前記ブロックの先頭セクタであることを示し、また、同期符号ＳＹＳ０を含む行が、当該セクタの先頭行であることを示す。
【０１６４】
同期符号ＳＹＳ１は、同期符号ＳＹＳ１を含むセクタが、前記ブロックの先頭セクタ以外のセクタであることを示し、また、同期符号ＳＹＳ１を含む行が、当該セクタの先頭行であることを示す。
【０１６５】
同期符号ＳＹＳ０〜ＳＹＳ５は、連続する２つの種別Ｓ０〜Ｓ５の組み合わせにより、２つ目の種別を有する当該同期符号ＳＹＳ０〜ＳＹＳ５に続くフレームが第１フレームであるか第２フレームであるかを示す。
【０１６６】
具体的には、同期符号の種別を表す「Ｓ１〜Ｓ５」の数字部分を、種別番号と呼ぶとすると、同期符号ＳＹＳ１の種別番号は「１」であり、同期符号ＳＹＳ２の種別番号は「２」である。ただし、ＳＹＳ０の種別番号は「１」であるとして取り扱う。図１５に示すように、各セク夕内では、連続する２つの種別番号を加算したときに、その値が奇数であれば、２番目の種別を有する同期符号に続くフレームは第１フレームであり、偶数であれば、２番目の種別を有する同期符号に続くフレームは第２フレームであるように、同期符号ＳＹＳ０〜ＳＹＳ５の配列が定められている。
【０１６７】
また、さらに、同期符号ＳＹＳ０〜ＳＹＳ５は、連続する３つの種別Ｓ０〜Ｓ５の組み合わせにより、３つ目の種別を有する当該同期符号ＳＹＳ０〜ＳＹＳ５に続くフレームのセクタ内における位置を特定することができる。
【０１６８】
具体的には、図１５に示すように、連続する３つの種別Ｓ０〜Ｓ５の組み合わせで同一の組み合わせが、同一セクタ内に複数出現することがないように同期符号ＳＹＳ０〜ＳＹＳ５の配列が定められている。これにより、連続する３つの種別Ｓ０〜Ｓ５の組み合わせに対応して、３つ目の種別を有する当該同期符号ＳＹＳ０〜ＳＹＳ５に続くフレームの位置を記憶しておくことによって、各セクタ内における各フレームの位置を特定することができる。
【０１６９】
図１６は、本実施例の同期符号ＳＹＳ０〜ＳＹＳ５のデータ構造を示す説明図である。図１６において、「Ｘ」は、符号値が０か１のいずれかであってもよいビットを示す。
【０１７０】
同期符号ＳＹＳ０〜ＳＹＳ５は、３１ビットの符号列で表され、第３ビットから第１９ビットまでに、図４に示した同期符号Ｓ１〜Ｓ４と同機、対応するＮＲＺＩ信号の反転間隔がＴＳ＝Ｔｍａｘ＋２Ｔ＝１６Ｔとなる識別部を有する。また、同期符号ＳＹＳ０〜ＳＹＳ５の先頭２１ビットおよび末尾４ビットは、各同期符号ＳＹＳ０〜ＳＹＳ５に共通の固定部であり、第２２ビットから第２７ビットまでの６ビットに２種類のパターンで表される種別情報が挿入される。なお、図１５では、同期符号ＳＹＳ０〜ＳＹＳ５の先頭１６ビットをフラグ部ＳＹ、後半１５ビットを符号語部Ｓ０〜Ｓ５として表している。
【０１７１】
図１７は、本実施例の同期符号の種別情報およびそれに対応する符号語部の読み取り値を示すテーブルである。
すでに説明したように、同期符号ＳＹＳ０〜ＳＹＳ５は、単独ではその同期符号に続くフレームのブロック内の位置までを特定することはできないので、各同期符号ＳＹＳ０〜ＳＹＳ５の種別情報１および種別情報２は、単に、その同期符号の種別を表す。
【０１７２】
図６に示したテーブルと同様に、各同期符号ＳＹＳ０〜ＳＹＳ５の種別情報は、６ビットのパターンの中に奇数個の「１」を含む種別情報１と、偶数個の「１」を含む種別情報２とで表される。種別情報１と種別情報２とは、第１実施例と同様に、当該同期符号ＳＹＳ０〜ＳＹＳ５に続くフレーム内の所定のＤＳＶ比較位置におけるＤＳＶの絶対値が小さくなる方が選ばれて、前記同期符号ＳＹＳ０〜ＳＹＳ５の符号列の第２２ビットから第２７ビットに挿入される。また、前記種別情報を含んだ符号語部Ｓ０〜Ｓ５は、同期符号ＳＹＳ０〜ＳＹＳ５の識別部が検出された直後に、他の符号語と同様にして読み取られる。読み取られた符号語部の値が、例えば、「１１９」あるいは「１３８」であれば、その同期符号は、同期符号ＳＹＳ０であることが判る。他の同期符号ＳＹＳ１〜ＳＹＳ５も同様にして、その種別を読み取ることができる。
【０１７３】
以上のように、本実施例によれば、第１実施例の効果に加えて、各セクタ内における各フレームの位置を特定することができるので、例えば、目標とするブロックをアクセスしたときに、目標のブロック内にあるセクタの途中から読み始めた場合でも、そのフレームから目標のブロックの最後のセクタまでを一旦メモリ上に取り出すとともに、次に、目標のブロックの先頭から残りのフレームまでを取り出してメモリ上に取り出されたデータの前に補充することによって、短時間で目標のブロックのデータを読み出すことができる。
【０１７４】
なお、図１５に示した同期符号ＳＹＳ０〜ＳＹＳ５の配列は、図示した配列に限定されず、２つ連続する種別番号を加算した場合、加算結果の値が、２つ目の種別番号を有する同期符号に続くフレームが第１フレームであるか第２フレームであるかを特定することができる属性を備えており、かつ、３つ連続する種別番号の同一パターンが同一セクタ内に複数出現しないよう定めていればよい。また、前記加算結果の代わりに、他の演算結果を用いてもよい。さらに、前記３つ連続する種別番号のパターンは、同一パターンが同一セク夕内に複数出現しないよう定めていれば、２つ連続する種別番号のパターンであってもよい。また、４つ以上連続する種別番号のパターンであってもよい。
【０１７５】
また、種別情報１および種別情報２の６ビットのパターンは、第１実施例の場合と同様、図１７に示したパターンに限定されず、また、同期符号の種別Ｓ０〜Ｓ５との対応も、図１７に示した対応に限定されない。
【０１７６】
以上のように本発明によれば、同期符号であることを表す識別符号を検出することにより、記録媒体に記録された情報中の同期符号を識別してフレーム同期を取ることができるとともに、識別符号直後に配置された種別符号を読み取ることにより、同期符号の種別によって表される情報であって、同期符号であること以外を表す情報を得ることができる同期符号付き符号語系列が記録された記録媒体を提供することができるという効果を奏する。
【０１７７】
本発明第１の見方によれば、前記種別符号を読み取ることにより、前記同期符号のブロック中の位置を知ることができる同期符号付き符号語系列が記録された記録媒体を提供することができる。
【０１７８】
本発明第２の見方によれば、前記識別符号の特定パターンにより、同期符号を同期符号以外の符号語系列と識別することができるとともに、前記種別符号が表す情報と、前記種別符号を含んで形成される符号語が表す情報とを対応付けて記憶しておけば、前記種別符号を読み取るための特別な構成を要せず、前記種別符号を含んで形成される符号語を前記符号語群の１つとして読み取り、前記種別符号が表す前記同期符号のブロック中の位置を知ることができる、そのような同期符号が挿入された同期符号付き符号語系列が記録されている記録媒体を提供することができる。
【０１７９】
本発明第３の見方によれば、前記種別符号を読み取ることにより、前記同期符号のブロック中の位置を知ることができるとともに、本発明の記録媒体から再生される再生信号の直流成分の偏りがより小さくなるよう選ばれた同期符号が挿入されている同期符号付き符号語系列が記録された記録媒体を提供することができる。
【０１８０】
本発明第４の見方によれば、同期符号の種別符号によってセクタの番地情報を含むフレームを容易に知ることができるので、同期符号内の前記種別情報と番地情報だけを読んで行くことによって、所望のブロックを読み出すための検索を高速に行うことができるとともに、所望のブロックの途中から同期符号付き符号語系列を読み出すことができるようにした同期符号付き符号語列が記録されている記録媒体を提供することができる。
【０１８１】
本発明第５の見方によれば、識別符号によって同期符号以外の符号語系列とは異なる同期符号であることを表すとともに、同期符号の種別を示す種別符号によって同期符号挿入位置に応じた情報であって、同期符号であること以外の情報を表すことができる同期符号が挿入された同期符号付き符号語系列を記録媒体上に記録する記録方法を提供することができる。
【０１８２】
本発明第６の見方によれば、前記識別符号の特定パターンにより、同期符号を同期符号以外の符号語系列と識別することができるとともに、前記種別符号が表す情報と、前記種別符号を含んで形成される符号語が表す情報とを対応付けて記憶しておけば、前記種別符号を読み取るための特別な構成を要せず、前記種別符号を含んで形成される符号語を前記符号語群の１つとして読み取り、前記種別符号が表す前記同期符号のブロック中の位置を知ることができる、そのような同期符号が挿入された同期符号付き符号語系列を記録媒体上に記録する記録方法を提供することができる。
【０１８３】
本発明第７の見方によれば、前記種別符号を読み取ることにより、前記同期符号のブロック中の位置を知ることができるとともに、本発明の記録媒体から再生される再生信号の直流成分の偏りがより小さくなるよう選ばれた同期符号が挿入されている同期符号付き符号語系列を記録媒体上に記録する記録方法を提供することができる。
【０１８４】
本発明第８の見方によれば、同期符号の種別符号によってセクタの番地情報を含むフレームを容易に知ることができるので、同期符号内の前記種別情報と番地情報だけを読んで行くことによって、所望のブロックを読み出すための検索を高速に行うことができるとともに、所望のブロックの途中から同期符号付き符号語系列を読み出すことができるようにした同期符号付き符号語列を記録媒体上に記録する記録方法を提供することができる。
【０１８５】
本発明第９の見方によれば、上記第１の見方の録媒体上に記録されている同期符号付き符号語系列から同期符号を正確に識別して読み取りクロックを符号語に同期することができるとともに、ブロック内における当該同期符号の直後に記録されている情報の位置を特定することにより、同期符号の直後に記録されている情報を選択的に読み取ることができる再生方法を提供することができる。
【０１８６】
本発明第１０の見方によれば、前記識別符号の特定パターンにより、同期符号を正確に識別して読み取りクロックを符号語に同期することができるとともに、前記種別符号を含んで形成される符号語を前記符号語群の１つとして読み取り、ブロック内における当該同期符号の直後に記録されている情報の位置を特定することにより、同期符号の直後に記録されている情報を選択的に読み取ることができる再生方法を提供することができる。
【０１８７】
本発明第１１の見方によれば、上記第４の見方の録媒体から、同期符号の種別符号によって番地情報を含むフレームを容易に知ることができるので、同期符号内の前記種別情報と番地情報だけを読んで行くことによって、所望のブロックを読み出すための検索を高速に行うことができるとともに、所望のブロックの途中から同期符号付き符号語系列を読み出すことができる再生方法を提供することができる。
【０１８８】
以上に説明した本発明に基づき、種々の変形が可能である。係る変形は本発明の範囲に含まれるものであり、当業者が想到する変形例は以下の請求の範囲に含まれるべきものである。
【図面の簡単な説明】
【０１８９】
【図１】本発明の第１実施例の記録媒体に書き込まれる変調前のデータとして同期符号付きデータを示す構成図である。
【図２】本実施例における８−１５変換の変換例を示す変換表である。
【図３】本実施例における８−１５変換の変換例を示す変換表である。
【図４】本実施例の同期符号Ｓ１〜Ｓ４のデータ構造を示す説明図である。
【図５】本実施例の光ディスクから再生される再生信号と、前記再生信号から読み取られるＮＲＺＩチャンネル信号との関係を示す説明図である。
【図６】本実施例の同期符号の種別情報およびそれに対応する符号語部の読み取り値を示すテーブルである。
【図７】本実施例の同期符号における種別情報１または種別情報２の選択方法を説明する説明図である。
【図８】本発明の第２実施例である光ディスク記録装置の構成を示すブロック図である。
【図９】本実施例の光ディスク記録装置における同期符号付きデータの記録方法の処理手順を示すフローチャートである。
【図１０】図９に示したステップＳ９１４、ステップＳ９２０、ステップＳ９２３およびステップＳ９２６における種別情報選択処理の手順を示すフローチャートである。
【図１１】本発明の第３実施例の光ディスク再生装置の構成を示すブロック図である。
【図１２】図１１に示した同期符号識別部１１０１および読み取り制御部１１０３のハードウェア構成を示すブロック図である。
【図１３】図１２に示したシフトレジス夕及び識別部のハードウエア構成を示すブロック図である。
【図１４】本実施例の光ディスク再生装置１１００の再生の処理手順を示すフローチャートである。
【図１５Ａ】本発明の別の実施例の記録媒体に書き込まれる変調前のデータとしてさらに工夫された同期符号付きデータを示す構成図である。
【図１５Ｂ】本発明の別の実施例の記録媒体に書き込まれる変調前のデータとしてさらに工夫された同期符号付きデータを示す構成図である。
【図１６】別の実施例の同期符号ＳＹＳ０〜ＳＹＳ５のデータ構造を示す説明図である。
【図１７】図６と同様な図で、別の実施例の同期符号の種別情報およびそれに対応する符号語部の読み取り値を示すテーブルである。
【図１８】本発明に係る書き込み可能な光ディスクの平面図であって、マークの配置を示した図である。
【図１９】本発明に係る書き込み不可能な光ディスクの平面図であって、マークの配置を示した図である。
【図２０】従来の誤り訂正の処理単位となる１ブロックのデータフォーマットを示す説明図である。
【符号の説明】
【０１９０】
８００  光ディスク記録装置
８０１  入力部
８０２  メモリ
８０３  パリティ生成部
８０４  符号化部
８０５  ＦＩＦＯ
８０６  同期符号挿入部
８０７  ＤＳＶ演算部
８０８  同期符号パターン記憶部
８０９  ＤＳＶ記憶部
１１００  光ディスク再生装置
１１０１  同期符号識別部
１１０２  種別情報読み取り部
１１０３  読み取り制御部
１１０４  複号部
１１０５  誤り訂正部
１１０６  出力部
１２０１  コンパレータ
１２０２  しきい値生成部
１２０３  クロック抽出部
１２０４  ビット同期部
１２０５  シフトレジスタ
１２０６  識別部
１２０７  １／１５分周器
１２０８  ラッチ回路
【図１】
2005108422.tif 000003
【図２】
2005108422.tif 000004
【図３】
2005108422.tif 000005
【図４】
2005108422.tif 000006
【図５】
2005108422.tif 000007
【図６】
2005108422.tif 000008
【図７】
2005108422.tif 000009
【図８】
2005108422.tif 000010
【図９】
2005108422.tif 000011
【図１０】
2005108422.tif 000012
【図１１】
2005108422.tif 000013
【図１２】
2005108422.tif 000014
【図１３】
2005108422.tif 000015
【図１４】
2005108422.tif 000016
【図１５Ａ】
2005108422.tif 000017
【図１５Ｂ】
2005108422.tif 000018
【図１６】
2005108422.tif 000019
【図１７】
2005108422.tif 000020
【図１８】
2005108422.tif 000021
【図１９】
2005108422.tif 000022
【図２０】
2005108422.tif 000023